(57)【要約】  統一有線／無線通信ネットワークを作り出すためのシステム、方法、及びコンピュータ読取り可能媒体を、記述が一般に提供する。シグナリング部分及びメディア部分を含むデータが受信される。シグナリング部分は、第１データセット及び第２データセットに分離される。第１データセットは、モビリティ管理機能を含み、第２データセットは、特性、アプリケーション関連機能、又はこれらの任意の組合せを含む。
2010507345.tif 000002
【特許請求の範囲】
【請求項１】
統一有線／無線通信ネットワークを作り出す方法であって、
シグナリング部分及びメディア部分を含むデータを受信するステップと、
前記シグナリング部分を第１データセット及び第２データセットへと分離するステップとを含み、
前記第１データセットはモビリティ管理機能を含み、前記第２データセットは、特性、アプリケーション関連機能、又はこれらの任意の組合せを含む方法。
【請求項２】
ネットワークにより前記データを受信するステップを更に含み、該ネットワークはＩＰネットワークを含む請求項１の方法。
【請求項３】
前記ネットワークと基地局が通信する請求項２の方法。
【請求項４】
前記基地局は、ピコセル又はフェムトセル基地局を含む請求項３の方法。
【請求項５】
無線電気通信規格に関連するプロトコルを用いて、前記第１データセットをモバイル無線ネットワークに送信するステップを更に含む請求項１の方法。
【請求項６】
前記無線電気通信規格に関連するプロトコルは、ＧＳＭ−ＭＡＰ、ＡＮＳＩ ＩＳ−４１、又はこれらの任意の組合せを含む請求項５の方法。
【請求項７】
前記モバイル無線ネットワークはＧＳＭネットワークである請求項５の方法。
【請求項８】
パケット通信技術に関連するプロトコルを用いて、前記第２データセットをコアネットワークに送信するステップを更に含む請求項１の方法。
【請求項９】
前記パケット通信技術に関連するプロトコルは、ＳＩＰ、ＲＴＰ、ＲＴＣＰ、ＡＭＲ、又はこれらの任意の組合せを含む請求項８の方法。
【請求項１０】
前記コアネットワークは、外部ネットワークに向けてセルラーコアネットワーク構成要素をエミュレートする請求項８の方法。
【請求項１１】
前記コアネットワークは、モバイル通信ネットワークによって提供されるサービスをサポートする請求項１０の方法。
【請求項１２】
前記サービスは、自動転送、通話中着信、呼保留、呼待機、同時呼出し、呼転送、マルチパーティ呼出し、音声メール通知、緊急呼出し、呼完了話中、通話制限、又は、これらの任意の組合せを含む請求項１１の方法。
【請求項１３】
前記メディア部分をパケット通信技術を用いて送信するステップを更に含む請求項１の方法。
【請求項１４】
前記メディア部分は、前記データの音声部分、前記データの帯域内トーン、前記電話通信ネットワークを越えてメディアゲートウェイに伝えられる他の機能、又は、これらの任意の組合せを含む請求項１３の方法。
【請求項１５】
情報媒体に有体的に具現化されるコンピュータプログラム製品であって、
データ処理装置が、
シグナリング部分及びメディア部分を含むデータを受信し、
前記シグナリング部分を第１データセット及び第２データセットへと分離し、
前記第１データセットがモビリティ管理機能を含み、前記第２データセットが、特性、アプリケーション関連機能、又はこれらの任意の組合せを含むものを行うように動作可能な命令を含むコンピュータプログラム製品。
【請求項１６】
統一有線／無線通信ネットワークを作り出すためのシステムであって、
シグナリング部分及びメディア部分を含むデータを受信するように構成されたアクセスノードと、
前記シグナリング部分を第１データセット及び第２データセットへと分離するように構成された無線ネットワークアダプタとを備え、
前記第１データセットはモビリティ管理機能を含み、前記第２データセットは、特性、アプリケーション関連機能、又はこれらの任意の組合せを含むシステム。
【請求項１７】
前記無線ネットワークアダプタから第１データセットを受信するように構成されたモバイル無線ネットワークの少なくとも一部を更に備え、該モバイル無線ネットワークの少なくとも一部は、無線電気通信規格に関連するプロトコルを用いて前記無線ネットワークアダプタと通信する請求項１６のシステム。
【請求項１８】
前記無線ネットワークアダプタから第２データセットを受信するように構成されたコアネットワークの少なくとも一部を更に備え、該コアネットワークの少なくとも一部は、パケット通信技術に関連するプロトコルを用いて前記無線ネットワークアダプタと通信する請求項１６のシステム。
【請求項１９】
前記無線ネットワークアダプタは更に、前記第１データセットをモバイル無線ネットワークに送信すると共に、前記第２データセットをコアネットワークに送信するように構成される請求項１６のシステム。
【請求項２０】
前記データの前記メディア部分を受信し、第３データセットを生成し、かつ、該第３データセットを、パケット通信技術に関連するプロトコルを用いてメディアゲートウェイと通信する電話通信ネットワークに送信するように構成されたメディアゲートウェイを更に備える請求項１６のシステム。
【請求項２１】
前記第３データセットは、前記データの音声部分、前記データの帯域内トーン、前記電話通信ネットワークを越えてメディアゲートウェイに伝えられる他の機能、又は、これらの任意の組合せを含む請求項２０のシステム。
【請求項２２】
前記無線ネットワークアダプタは更に、ＭＳＣ及びＶＬＲをエミュレートするため、コアネットワークの少なくと一部と協働するように構成される請求項１６のシステム。
【請求項２３】
統一有線／無線通信ネットワークを作り出すためのシステムであって、
シグナリング部分及びメディア部分を含むデータを受信するための手段と、
前記シグナリング部分を第１データセット及び第２データセットへと分離するための手段とを備え、
前記第１データセットはモビリティ管理機能を含み、前記第２データセットは、特性、アプリケーション関連機能、又はこれらの任意の組合せを含むシステム。
【請求項２４】
統一有線／無線通信ネットワークを作り出すためのシステムであって、
シグナリング部分及びメディア部分を含むデータを受信するように構成されたアクセスノードと、
前記シグナリング部分を第１データセット及び第２データセットへと分離するように構成された無線ネットワークアダプタとを備え、
前記第１データセットはモビリティ管理機能を含み、前記第２データセットは、特性、アプリケーション関連機能、又はこれらの任意の組合せを含み、
前記無線ネットワークアダプタは、モバイル無線ネットワーク通信機能を使用するシステム。
【請求項２５】
モバイル無線ネットワーク通信機能は、ＭＳＣ、ＨＬＲ、ＶＬＲ、ＡＵＣ、ＴＲＡＵ、ＩＷＦ、ＳＧＳＮ、ＧＧＳＮ、ＢＳＣ、ＢＴＳ、又は、これらの任意の組合せを含む請求項２４のシステム。
【発明の詳細な説明】
【技術分野】
【０００１】
本記述は、一般に、移動通信ネットワークのための、コンピュータベースの、コンピュータプログラム製品を含む方法及び装置に関する。
【背景技術】
【０００２】
携帯電話及び携帯電話技術の使用の増加に伴い、携帯ハンドセットをマクロセルラーネットワークに接続する代替方法として、低出力フェムトセル及びピコセルアクセスポイントが使用されている。フェムトセル及びピコセルの両方は、携帯ハンドセットに対するアクセスを提供する従来のセルラー基地局（ベースステーション）の小規模バージョンである。これらは、例えば、グローバルシステムフォーモバイルコミュニケーションズ（ＧＳＭ）ネットワーク（これは、携帯電話とネットワークスイッチング（交換）サブシステム（ＮＳＳ）との間のトラフィック及びシグナリング（信号方式）に責任を負う）の基地局システム（ＢＳＳ）の基地局トランシーバ（ＢＳＴ）と類似している。フェムトセルは、ピコセルに比べて出力（パワー）がかなり制限され、ユーザの家等の小さい空間で作動するように設計される。しかしながら、ピコセルは、３０，０００平方フィートまでカバーすることができ、業務用アプリケーションに最適である。フェムトセル及びピコセルは、四つの主要ＧＳＭ帯域、８５０ＭＨｚ、９００ＭＨｚ、１８００ＭＨｚ、及び１９００ＭＨｚのいずれにおいても動作可能である。
【０００３】
これらの二つの技術は、帰路移送のためにＣａｔ（カテゴリ）−５ケーブルを通じてＩＰネットワークに接続する。ＢＳＴの背後にインテリジェンスを与えるちょうど基地局コントローラ（ＢＳＣ）（これは、ＢＳＴ背後のインテリジェンスを与える）のように、ピコセル及びフェムトセルシステムの両方は、各ピコセルへの及び各ピコセルからのトラフィックの流れを管理するため、ＢＳＣを使用し、これは、電気通信事業者のより広域なネットワークに室内ネットワークを本質的に連結する。
【０００４】
無資格のＩＰベースの広帯域アクセスネットワークをＧＳＭ等のコアモバイルネットワークにブリッジングするほとんどのソリューションは、広帯域ネットワークをモバイルコアネットワークのインフラストラクチャに無給電中継（パッシブリレー）を通じて結合する。チャージング、認証及びエンドユーザ管理等のコアモバイルネットワークのほとんどの機能は、コアモバイルネットワークから利用される。これは、フェムトセル及びピコセルへの及びこれらからのすべてのトラフィックが、一般にＩＰ有線（ワイヤーライン）コアネットワーク（これは、無線ネットワークから分離する）を通じて、ＩＰ帰路により移送されるまで単にパッケージ化されるシステムをもたらす。
【発明の概要】
【発明が解決しようとする課題】
【０００５】
有利には、本明細書中に記載した技術は、無線ネットワークから独立した統一コアナットワークを提供し、これはモビリティ（移動性）管理及びサービスの分離を容易にする。サービスは、それらのアクセス（例えば有線又は無線）の性質から独立したコアネットワークによって提供され、また、モビリティ側面は、サービスを提供する前に処理され得る。コアネットワーク（例えばＳＩＰ／ＩＭＳネットワーク）は、ピコ／フェムトセルを通じて接続されるモバイル加入者にサービスを提供する。ユーザは、低出力ＧＳＭネットワークを通じて接続して、マクロネットワークへとローム（ローミング）することができ、また、該セルは切断されることなく、該ＭＳＣへとハンドオーバされる。コアネットワークは、有線加入者にサービスを提供することができ、無線アクセスノードは、無線加入者に対するサービスを許容し、その結果、集中型有線／無線コアネットワークをもたらす。
【課題を解決するための手段】
【０００６】
一つの側面において、統一有線／無線通信ネットワークを作り出す方法が存在する。該方法は、シグナリング（信号（方式））部分及びメディア（媒体）部分を含むデータを受信するステップを含む。該方法は更に、シグナリング部分をシグナリング部分第１データセット及び第２データセットに分離するステップを含む。ここで、第１データセットはモビリティ管理機能を含み、第２データセットは、特性、アプリケーション関連機能、又はこれらの組合せを含む。
【０００７】
別の側面において、情報媒体に有体的に具現化されたコンピュータプログラム製品が存在する。コンピュータプログラム製品は、データ処理装置にシグナリング部分及びメディア部分を含むデータを受信させるように動作可能な命令を含む。コンピュータプログラム製品は更に、シグナリング部分を第１データセット及び第２データセットに分離するように動作可能な命令を含む。ここで、第１データセットはモビリティ管理機能を含み、第２データセットは、特性、アプリケーション関連機能、又はこれらの組合せを含む。
【０００８】
別の側面において、統一有線／無線通信ネットワークを作り出すためのシステムが存在する。該システムは、シグナリング部分及びメディア部分を含むデータを受信するように構成されたアクセスノードを含む。該システムは更に、シグナリング部分を第１データセット及び第２データセットに分離するように構成された無線ネットワークアダプタを含み、ここで、第１データセットはモビリティ管理機能を含み、第２データセットは、特性、アプリケーション関連機能、又はこれらの組合せを含む。
【０００９】
別の側面において、統一有線／無線通信ネットワークを作り出すためのシステムが存在する。該システムは、シグナリング部分及びメディア部分を含むデータを受信するための手段を含む。該システムは更に、シグナリング部分を第１データセット及び第２データセットに分離するための手段を含む。ここで、第１データセットはモビリティ管理機能を含み、第２データセットは、特性、アプリケーション関連機能、又はこれらの組合せを含む。
【００１０】
別の側面において、統一有線／無線通信ネットワークを作り出すためのシステムが存在する。該システムは、シグナリング部分及びメディア部分を含むデータを受信するように構成されたアクセスノードを含む。該システムは更に、該データのシグナリング部分を受信して、シグナリング部分を第１データセット及び第２データセットに分離するように構成された無線ネットワークアダプタを含む。ここで、第１データセットはモビリティ管理機能を含み、第２データセットは、特性、アプリケーション関連機能、又はこれらの組合せを含む。無線ネットワークアダプタは、モバイル無線ネットワーク通信機能を使用する。
【００１１】
上記側面のいずれも、次の機能のうちの一つ又は複数を含むことができる。該データはネットワークにより受信され得る。基地局は、該ネットワークと通信可能であり、該基地局は、ピコセル又はフェムトセル基地局を含む。該ネットワークはＩＰネットワークであり得る。第１データセットは、無線電気通信規格に関連するプロトコルを用いてモバイル無線ネットワークに送信され得る。無線電気通信規格に関連するプロトコルは、ＧＳＭ−ＭＡＰ、ＣＤＭＡ ＩＳ−４１、又はこれらの任意の組合せを含むことができる。
【００１２】
モバイル無線ネットワークはＧＳＭネットワークであり得る。第２データセットは、パケット通信技術に関連するプロトコルを用いてコアネットワークに送信され得る。パケット通信技術に関連するプロトコルは、ＳＩＰ、ＲＴＰ、ＵＭＴＳ、ＡＭＲ、又はこれらの任意の組合せを含むことができる。コアネットワークは、外部ネットワークに向けてセルラー（携帯電話）コアネットワーク構成要素をエミュレートすることができる。コアネットワークは、モバイル通信ネットワークによって提供されるサービスをサポートすることができる。サービスは、自動転送、通話中着信、呼保留、呼待機、同時呼出し、呼転送、マルチパーティ呼（マルチパーティ呼出し）、音声メール通知、緊急呼出し、呼完了話中、通話制限、及び、これらの任意の組合せを含む。
【００１３】
コアネットワークの構成要素は、コアネットワークをサポートするためにＨＬＲ機能及び付加的な機能を実行するＨＬＲプロキシサーバであり得る。該付加的な機能は、モバイル無線ネットワークロケーションレジスタからのデータ収集、互換性のないデータフォーマット間のマッピング情報の格納、コアネットワークの他の構成要素へのデータマッピングの提供、モバイル無線ネットワークロケーションレジスタからのデータと同期させての中央ネットワークに関連するデータサーバのデータの保持、又は、これらの任意の組合せを含むことができる。モバイル無線ネットワークロケーションレジスタは、ＨＬＲ、ＶＬＲ又はこれらの任意の組合せを含むことができる。
【００１４】
メディア部分は、パケット通信技術を用いてサーバに送信され得る。メディア部分は、データの音声部分、データの帯域内トーン、電話通信ネットワークからメディアゲートウェイを超えて伝えられる他の機能、又は、これらの任意の組合せを含むことができる。モバイル無線ネットワークの少なくとも一部は、無線ネットワークアダプタから第１データセットを受信するように構成され得る。モバイル無線ネットワークの少なくとも一部は、無線電気通信規格に関連するプロトコルを用いて無線ネットワークアダプタと通信する。コアネットワークの少なくとも一部は、無線ネットワークアダプタから第２データセットを受信するように構成され、コアネットワークの少なくとも一部は、パケット通信技術に関連するプロトコルを用いて無線ネットワークアダプタと通信する。無線ネットワークアダプタは更に、第１データセットをモバイル無線ネットワークに送信すると共に、第２データセットをコアネットワークに送信するように構成され得る。
【００１５】
メディアゲートウェイは、データのメディア部分を受信し、第３データセットを生成し、かつ、第３データセットを、パケット通信技術に関連するプロトコルを用いてメディアゲートウェイと通信する電話通信ネットワークに送信するように構成され得る。第３データセットは、データの音声部分、データの帯域内トーン、電話通信ネットワークを越えてメディアゲートウェイに伝えられる他の機能、又は、これらの任意の組合せを含む。無線ネットワークアダプタは更に、ＭＳＣ及びＶＬＲをエミュレートするため、コアネットワークの少なくとも一部と協働するように構成され得る。モバイル無線ネットワーク通信機能は、ＭＳＣ、ＨＬＲ、ＶＬＲ、ＡＵＣ、ＴＲＡＵ、ＩＷＦ、ＳＧＳＮ、ＧＧＳＮ、ＢＳＣ、ＢＴＳ、又は、これらの任意の組合せを含むことができる。
【００１６】
上記側面のいずれも、次の利点のうちの一つ又は複数を含むことができる。本明細書中に記載した技術は、コアネットワークにＩＰにより通信する小規模低価格屋内基地局等の代替低出力アクセスネットワークの使用を可能にする。例えば、加入者は、ビル内の低出力ＧＳＭネットワークを使用することができ、外部にいる場合、パートナーマクロ（Ｍａｃｒｏ）ＧＳＭネットワークを使用可能である。該システムは、新しいユーザ挙動が不要であるため、顧客が簡単に使用であり、すべての既存のＧＳＭハンドセットがサポートされ得る。有利には、モバイルサービスは、キャンパス又は観光船上等のローカル（局所）又はリモート（遠隔）領域で提供され得る。機能の完全なセットが低出力ＧＳＭライセンスを有するサービスプロバイダに提供され得、その一方、会社がミニセルサイトを設定し、室内又は他の局所的領域内でＧＳＭサービスを提供することを可能にする。
【００１７】
本発明自体並びに本発明の上述の及び他の目的、機能及び利点は、種々の実施形態の次の記述及び添付図面から更に十分に理解される。
【図面の簡単な説明】
【００１８】
【図１】図１は、模範的な集中型無線／有線ネットワーキングシステムのブロック図である。
【図２】図２は、アクセスノードとのネットワーク相互作用のブロック図である。
【図３】図３は、アクセスノード構成要素及びコアネットワーク構成要素のブロック図である。
【図４Ａ】図４Ａは、通信装置がホームネットワークにおいて電源オンした際のロケーション更新のシーケンス図である。
【図４Ｂ】図４Ｂは、通信装置がホームネットワークにおいて電源オンした際のロケーション更新のシーケンス図である。
【図５】図５は、通信装置がホームネットワークへとロームした際のロケーション更新のシーケンス図である。
【図６Ａ】図６Ａはモバイル発信呼のシーケンス図である。
【図６Ｂ】図６Ｂはモバイル発信呼のシーケンス図である。
【図７】モバイル加入者対モバイル加入者呼のブロック図である。
【図８Ａ】図８Ａは、イントラ−スイッチハンドオーバのブロック図である。
【図８Ｂ】図８Ｂは、イントラ−スイッチハンドオーバのブロック図である。
【図８Ｃ】図８Ｃは、イントラ−スイッチハンドオーバのブロック図である。
【図９Ａ】図９Ａは、インター−スイッチハンドオーバのブロック図である。
【図９Ｂ】図９Ｂは、インター−スイッチハンドオーバのブロック図である。
【図９Ｃ】図９Ｃは、インター−スイッチハンドオーバのブロック図である。
【図１０】図１０は、自動転送呼出しのシーケンス図である。
【図１１】図１１は、通話中着信のブロック図である。
【図１２】図１２は、呼保留のブロック図である。
【発明を実施するための形態】
【００１９】
図１は、ネットワーク１３０を通じてアクセスノード１４０と通信するローカル無線通信ネットワーク１０２を含む通信ネットワーク１００の図である。ネットワーク１３０は、インターネット、イントラネット、インターナットプロトコル（ＩＰ）ネットワーク、非同期転送モード（ＡＴＭ）ネットワーク、ケーブルテレビネットワーク等の所有権を主張できるネットワーク、Verizon FIOS（登録商標）ネットワーク等の各家庭までの光ファイバー化（ＦＴＴＨ）ネットワーク、又は、衛星ネットワークもしくは８０２．１６ＷｉＭａｘネットワーク等の無線ネットワーク、及び／又は、その他のネットワーク等であり得る。ローカル無線通信ネットワーク１０２は、無線通信装置１０４、データ１０６（例えば、データの送信）、及び無線アクセスポイント１０８を含む。無線通信装置１０４は、例えば、無線ハンドセットであり得る。データ１０６は、音声通信、データ通信、ショートメッセージサービス（ＳＭＳ）通信、画像転送、静止画もしくは動画、及び／又は、その他の通信であり得る。無線通信装置１０４は、例えば、汎用パケット無線サービス（ＧＰＲＳ）基準、グローバルシステムフォーモバイルコミュニケーション（ＧＳＭ）基準、強化汎用パケット無線サービス（ＥＤＧＥ）基準、符号分割多重接続（ＣＤＭＡ）プロトコル、符号分割多重接続２０００（ＣＤＭＡ２０００）基準、時分割多重アクセス（ＴＤＭＡ）プロトコル、周波数分割多重アクセス（ＦＤＭＡ）プロトコル、国際電気通信連合で標準化を検討・推進している世界共通の携帯電話システム（ＩＭＴ−２０００）基準、パーソナルディジタルセルラー（ＰＤＣ）基準、回線交換データ（ＣＳＤ）プロトコル、８０２．１１基準、及び／又は、その他の基準等、任意数の無線電気通信基準に準拠するフォーマットでデータ１０６を送信可能である。
【００２０】
ネットワーク１３０が受け取る情報、例えばデータの送信は、シグナリング（信号方式）部分１１０とメディア部分１２０を含む。メディア（媒体）部分１２０は、例えば、データの音声部分、データの帯域内トーン、電話通信ネットワークを越えたメディアゲートウェイに伝えられる他の機能、及び／又は、その他の機能を含む。メディア部分１２０は、ＡＭＲ、ＲＴＰ、Ｇ．７１１、及び／又はその他に準拠し得る。
【００２１】
アクセスノード１４０は、シグナリング部分１１０を第１データセット１５０及び第２データセット１６０に加工処理する。アクセスノード１４０は、無線ネットワークアダプタ１４４とメディアゲートウェイ１４８を含む。無線ネットワークアダプタ１４４は、第１データセット１５０及び第２データセット１６０を生成する。第１データセット１５０は、モバイル管理機能を含み、これは、例えば、呼制御メッセージ、モバイルスイッチングセンター（移動交換局）（ＭＳＣ）ロケーション手順、ＭＳＣハンドオーバ手順、ショートメッセージサービス（ＳＭＳ）手順、及びメッセージ、メディア設定及び分解、及び、モバイル加入者の管理に関連する電話通信ネットワークを越えて伝えられる他の機能を含む。無線ネットワークアダプタ１４４は、モバイル無線ネットワークで使用するために第１データセット１５０をフォーマットする。モバイル無線ネットワークは、例えば、統合ディジタル強化ネットワーク（ｉＤＥＮ）、高速回線交換データ（ＨＳＣＳＤ）ネットワーク、パーソナル通信サービス（ＰＣＳ）ネットワーク、グローバルシステムフォーモバイルコミュニケーション（ＧＳＭ）ネットワーク、汎用パケット無線サービス（ＧＰＲＳ）ネットワーク、強化汎用パケット無線サービス（ＥＤＧＥ）ネットワーク、符号分割多元接続（ＣＤＭＡ）ネットワーク、時分割多重アクセス（ＴＤＭＡ）ネットワーク、周波数分割多重アクセス（ＦＤＭＡ）ネットワーク、パーソナルディジタルセルラー（ＰＤＣ）ネットワーク、回線交換データ（ＣＳＤ）ネットワーク、及び／又は、その他のネットワークを含む。無線ネットワークアダプタ１４４は、インタフェース（例えば、ＧＳＭ−ＭＡＰ、ＡＮＳＩ ＩＳ−４１、又はＣＡＭＥＬ）を介して第１データセット１５０をＨＬＲ、ＭＳＣ、ＳＭＳＣ、ＳＣＰ、及び／又はその他へと移送する。アクセスノード１１０は、ＭＳＣ手順（例えば、ロケーション管理、呼設定、呼分解、又はＳＭＳ）を実行可能である。
【００２２】
第２データセット１６０は、特性関連機能及び／又はアプリケーション関連機能を含む。これらの機能は、自動転送、通話中着信（キャッチホン）、呼保留、呼待機、同時呼出し、呼転送、マルチパーティ呼（多数共同呼）、音声メール通知、緊急呼出し、呼完了話中、通話制限、及び、他の類似サービスを含むことができる。無線ネットワークアダプタ１４４は、例えばＳＩＰ等のデータパケット技術を用いて第２データセット１６０をフォーマットする。
【００２３】
無線アクセスポイント１０８は、無線通信装置１０４からデータ１０６を受信する。無線アクセスポイント１０８は、ピコ／フェムトセルであり得る。無線アクセスポイント１０８は、ネットワーク１３０が用いる特定のプロトコルに準拠するフォーマットへとデータ１０６をカプセル化する。該特性のプロトコルは、ＩＰ、ＴＣＰ、ＶｏＩＰ、ＵＤＰ、及び／又はその他を含み得る。無線アクセスポイント１０８は、例えば、モバイル技術を用いて無線ネットワークにより信号を送信及び受信し、かつデータネットワーク１３０による送信のためにデータ１０６を処理する基地局を構成することができる。シグナリング部分１１０及びメディア部分１２０の両方は、ネットワーク１３０によりアクセスノード１４０に通信させられる。
【００２４】
例えば、データ１０６は、ネットワーク１３０による送信のために処理され、そのため、ユーザの家に位置する無線アクセスポイント１０８は、ユーザの広帯域インターネット接続に接極され得る。シグナリング部分１１０及びメディア部分１２０を含むデータ１０６は、例えば、ネットワーク１３０を越えてアクセスノード１４０に送信するため、ＩＰへとカプセル化及び／又は転換され得る。
【００２５】
シグナリング部分１１０は、無線ネットワークアダプタ１４４によって受信され、無線ネットワークアダプタ１４４は、シグナリング部分１１０を、第１データセット１５０及び第２データセット１６０へと逆カプセル化（カプセル開放）、リ（再）フォーマット、及び／又は変換する。第１データセット１５０はモバイル無線ネットワークに送信され、また、第２データセット１６０はコアネットワークに送信される。メディアゲートウェイ１４８は、メディア部分１２０を受信し、メディア部分１２０を、電気通信ネットワークのパケット部分に位置するサーバに送信される。メディアゲートウェイ１４８はまた、例えばＡＭＲ信号のＧ．７１１信号への変換等のトランスコーディングを実行し得る。
【００２６】
図２は、集中型有線／無線ネットワーク２００のブロック図であり、図１の構成要素に他のタイプのネットワークがどのように組み込まれるかの例を示す。無線通信装置１０４は無線アクセスポイント１０８と通信する。アクセスノード１０８は、マクロ無線ネットワーク２０５、コアネットワーク２４０、メディアサーバ２３５、及びデータネットワーク２３０と通信する。マクロ無線ネットワーク２０５は、例えば、ＧＳＭネットワーク、ＣＤＭＡネットワーク、又はセルラーネットワークであり得る。マクロ無線ネットワーク２０５は、Zynetix Ltd.（ザイネティクス社）のSoftMSC等のＧＳＭソフトスイッチ（図示せず）を通じてアクセスされ得る。アクセスノード１４０は、第１データセット１５０をマクロ無線ネットワーク２０５と通信させる。アクセスノード１４０とマクロ無線ネットワーク２０５間の通信プロトコルは、例えば、Ｄ又はＥインターフェースによるＭＡＰであり得る。アクセスノード１４０は、第２データセット１６０をコアネットワーク２４０と通信させる。第２データセット１６０は、例えばＳＩＰを用いてフォーマットされ得る。アクセスノードは、例えばＧ．７１１／ＲＴＰを用いて第３データセット１７０をメディアサーバ２３５と通信させる。メディアサーバ２３５は、例えばＳＩＰを用いてコアネットワーク２４０と通信する。メディアサーバ２３５は、例えば、音声プロンプトをメディアゲートウェイ１４８に送信可能である。アクセスノード１４０は、第４データセット２６６をデータネットワーク２３０と通信させる。データネットワーク２３０は、例えばＧＰＲＳネットワークであり得、また、第４データセット２６６は、ＧＰＲＳデータであり得る。
【００２７】
コアネットワーク２４０は、例えばＴＤＭを用いてＰＳＴＮ／他のモバイルネットワーク２２０と通信する。コアネットワーク２４０は、ＳＩＰ／ＩＭＳコアネットワークであり得る。ＰＳＴＮ／他のモバイルネットワーク２２０は、例えば、ｉＤＥＮネットワーク、ＨＳＣＳＤネットワーク、ＧＰＲＳネットワーク、ＥＤＧＥネットワーク、ＣＤＭＡネットワーク、ＴＤＭＡネットワーク、ＦＤＭＡネットワーク、ＰＤＣネットワーク、ＣＳＤネットワーク、及び／又は、その他のネットワークを含むことができる。コアネットワーク２４０は、例えばＭＡＰを用いてマクロ無線ネットワーク２０５と通信する。コアネットワーク２４０は、例えば、ＰＳＴＮ電話呼を設定するために用いられるテレフォニーシグナリングプロトコルを通信させるシグナリングゲートウェイを用いて、共通線信号システムＮｏ．７（ＳＳ７）ネットワーク２１０と通信する。
【００２８】
無線アクセスポイント１０８は、無線通信装置１０４から通信を受信し該通信を処理することができる。該通信は、シグナリング部分１１０及びメディア部分１２０を含む。無線アクセスポイント１０８は、該通信をネットワーク１３０によりアクセスノード１４０へと送信する。シグナリング部分１１０は、例えば、シグナリング部分１１０の逆カプセル化、シグナリング部分１１０のリフォーマット、及び／又はその他により、アクセスノード１４０によって第１データセット１５０及び第２データセット１６０へと処理される。第１データセット１５０は、マクロ無線ネットワーク２０５で使用するためにフォーマットされ、アクセスノード１４０は第１データセット１５０をマクロ無線ネットワーク２０５に送信する。第２データセット１６０はＳＩＰを用いてフォーマットされ、アクセスノード１４０は、第２データセット１６０をコアネットワーク２４０に送信する。メディア部分１２０は、トランスコーディングを用いて第３データセットへとフォーマットされ得る。ある模範的な実施形態において、メディア部分１２０は、ＡＭＲ信号からＧ．７１１信号へと変換されて、電気通信ネットワークのパケット部分に位置する、メディアサーバ２３５等のサーバに送信される。例えばＧＰＲＳデータを含む第４データセット２６６はデータネットワーク２３０に送信される。
【００２９】
ＰＳＴＮに対するモバイル発信又はモバイル終了コール（呼／呼出し）では、コアネットワーク２４０は、例えば、ＰＳＴＮ／他のモバイルネットワーク２２０との通信を処理するゲートウェイスイッチを含む。ＰＳＴＮへの及びＰＳＴＮからの回線（回路）ベースのシグナリングは、例えば、ＳＳ７ネットワーク２１０に対するコアネットワーク２４０内のシグナリングゲートウェイによって通信され得る。有利には、コアネットワーク２４０は、例えば、呼ルーティングの提供、付加サービスの提供、ＨＬＲとのインターフェース（例えばＭＡＰを用いて）、及び、ＳＣＰに向けてインターフェース（例えばＣＡＰを用いて）が可能である。アクセスノード１４０は、例えば、ＭＳＣのエミュレート、ロケーション更新及びハンドオーバに関連する手順の提供、ＶＬＲ機能の提供、インターフェース（例えば、Ｄ／Ｅ、Ａ（ＢＳＳＡＰ）もしくはＡ／ＩＰインターフェース）の実行、及び、メディアフローの制御が可能である。
【００３０】
図３は、アクセスノードネットワークアーキテクチャ３００のより詳細なブロック図であり、図１及び図２の上述した構成要素のいくつかを組み込んだ実施形態を例示する。コアネットワーク２４０は、ゲートウェイスイッチ３２２と、機能サーバ３２６と、ロケーションレジスタ３３０と、メディアサーバ２３５と、シグナリングゲートウェイ３３４とを含む。アクセスノードは、コントローラ３１２と、無線ネットワークアダプタ１４４と、メディアゲートウェイ１４８とを含む。
【００３１】
メディアゲートウェイ１４８は、例えばＧ．７１１／ＲＴＰを用いてゲートウェイスイッチ３２２及びメディアサーバ２３５と通信する。ゲートウェイスイッチ３２２は、公衆交換電話網（ＰＳＴＮ）への及びそれからのメディアを処理する。これは、例えば、Sonus Networks, Inc.（ソーナスネットワーク社）から市販されるGSX（登録商標）Open Service Switch、Nortel Networks（ノーテルネットワーク社）から市販されるCVX（登録商標）Multi-Service Access Switch、及び／又はその他のスイッチであり得る。メディアサーバ２３５は、メディアリソース機能（ＭＲＦ）を実行し、また、例えば、音声メッセージング、ビデオメッセージング、電子機器利用会議、及びビデオ共用ソリューション、及び／又はその他のものをイネーブルにすることにより、より良好な通信のため、加入者に焦点を当てたサービスの配信及び電気通信事業者及びサービスプロバイダに対するアプリケーションの配信を容易にする。一例は、Cantata Technology, Inc.から市販されるSnowShore IP Media Server（登録商標）である。
【００３２】
無線ネットワークアダプタ１４４は、例えばＳＩＰを用いて機能サーバ３２６と通信する。機能サーバ３２６は呼セッション状態を処理し、これは、サービスの向上のためにアプリケーションサーバの使用を調整することを含む。機能サーバ３２６は、任意のアクセス技術によりＩＰベースの消費者及び中小企業（クラス５）ＶｏＩＰ呼機能を配信する。アクセス技術は、例えば、ボイスオーバＤＳＬ、ボイスオーバＷｉＦｉ及びＷｉＭａｘ、ボイスオーバケーブル、及びイーサネット（登録商標）であり得る。機能サーバ３２６は、例えば、Sonus Networks, Inc.（ソーナスネットワーク社）から市販されるASX（登録商標）Feature Serverであり得る。無線ネットワークアダプタ１４４は、例えばＤインターフェースによるＭＡＰを用いてロケーションレジスタ３３０と通信する。ロケーションレジスタ３３０は加入者情報の中央データベースであり、加入者情報は、例えば、加入者のサービスプロファイル、該ネットワークにおける加入者の現在状態、及び／又はその他のものを含む。これは、例えば、Sonus Networks, Inc.（ソーナスネットワーク社）から市販されるHSX（登録商標）Home 加入者 Serverであり得る。
【００３３】
ロケーションレジスタ３３０は、例えばＤインターフェースによるＭＡＰを用いてＳＣＰ３３６と通信する。ＳＣＰ３３６は、呼をＰＳＴＮ又は他の回線ベースのネットワークにルーティングし、サービスの選択、ＶｏＩＰに対するルーティング、及び、アプリケーションアーキテクチャ全体にわたるマルチメディアサービスを提供する。ＳＣＰ３３６は、例えば、ルーティング及びプロビジョニングを処理することができる。ロケーションレジスタ３３０は、例えばウェブインターフェースを用いて機能サーバ３２６と通信する。機能サーバ３２６は、情報（図示せず）を格納するデータベースを含むことができる。データベースは、例えば、Sonus Networks, Inc.（ソーナスネットワーク社）から市販されるADS（登録商標）Access Directory Serverであり得る。ゲートウェイはシグナリングゲートウェイ３３４と通信し、シグナリングゲートウェイ３３４は、ＰＳＴＮへの及びそこからの回線ベースのシグナリングを通す。シグナリングゲートウェイは、Sonus Networks, Inc.（ソーナスネットワーク社）から市販されるSGX（登録商標）Signaling Gatewayであり得る。
【００３４】
マクロ無線ネットワーク２０５は、例えばＧＳＭネットワーク等の任意のモバイル通信ネットワークであり得る。スイッチ３４０は電話交換器であり、これは、スイッチ３４０がサービスを提供する領域内の無線通信装置１０４に対し、例えば、回線交換呼出し、モビリティ（移動性）管理、モバイルネットワーク通信サービス、及び／又はその他を提供する。スイッチ３４０は、訪問レジストリ３４１と密に結合され、例えば、モバイルスイッチングセンタ（ＭＳＣ）であり得る。訪問レジストリ３４１は、これがサービスを提供する特定領域内にロームした加入者の一時的データベースである。一つの例は訪問者ロケーションレジスタ（ＶＬＲ）である。訪問レジストリ３４１に格納されたデータは、例えばマクロ無線ネットワーク２０５から受信され得る。マクロ無線ネットワーク２０５は、該モバイル通信ネットワークを使用する権限が付与された各携帯電話加入者の詳細を含む中央データベースを含むことができる。これは、例えば、ホームロケーションレジスタ（ＨＬＲ）であり得る。
【００３５】
無線通信装置１０４は基地局３０４を通じて接続する。基地局３０４は、例えば、無線信号を送信及び受信するための設備、アンテナ、及びコントローラ３１２との通信を暗号化及び復号化するための設備を含む。基地局は、例えば、フェムトセル、ピコセル基地局（ＢＴＳ）、及び／又は、その他のものであり得る。基地局３０４は、例えば、ＡＭＲ、ＲＴＰ、及び／又はその他を用いてメディアゲートウェイ１４８と通信することができる。基地局３０４は、例えばＡｂｉｓ／ＩＰを用いてコントローラ３１２と通信することができる。コントローラ３１２は、無線チャンネルの割当て、携帯電話からの測定値の受信、ハンドオーバの制御、及び／又はその他により、基地局３０４に対して管理及び制御機能を提供する。
【００３６】
コントローラ３１２は、サポートノード３５０及びゲートウェイノード３５２を通じてデータネットワーク２３０と通信する。データネットワークは、例えばＧＰＲＳネットワークであり得る。サポートノード３５０は、無線通信装置１０４を常時監視し、例えば、セキュリティ機能、アクセス制御、及び／又はその他を実行する。一つの例は、サービングＧＰＲＳサポートノード（ＳＧＳＮ）である。サポートノード３５０は、ゲートウェイノード３５２のルーティング、フィルタリング、請求、及び／又はその他のサービスをサポートする。一つの例は、ゲートウェイＧＰＲＳサポートノード（ＧＧＳＮ）である。データネットワーク２３０はメッセージングサーバ３５４と情報をやり取りし、メッセージングサーバ３５４は、メッセージの送信、モバイル環境に特有のオペレーションの提供、保管サービスの提供、及び／又は、その他を行う。これは、例えば、マルチメディアメッセージングサービス（ＭＭＳ）リレー、ＭＭＳサーバ、及び／又はその他のものであり得る。
【００３７】
図４Ａ〜図１２では、図１に示すローカル無線通信ネットワーク１０２と連動するアクセスノードネットワークアーキテクチャ３００の構成要素間の相互作用を更に検討する。図４Ａ及び図４Ｂは、無線通信装置１０４が電源オンしてローカル無線通信ネットワーク１０２に登録する場合のイベントのフローを例示するプロセス４００を示する。これは、例えば、前のＶＬＲアソシエーション（関連付け）を伴わないロケーション更新であり得る。図４Ａのプロセス４００において、無線通信装置１０４は、CHaNnel REQuired（チャンネル要求）メッセージ４０１をコントローラ３１２に送り、ローカル無線通信ネットワーク１０４におけるチャンネルを要求する。コントローラ３１２は、IMMediate ASSignment CoManD（即時割当てコマンド）４０２により無線通信装置１０４に応答し、IMMediate ASSignment CoManD４０２は、即時割当て、拡張即時割当て、拒絶即時割当て、及び／又はその他等の可能な割当てコマンドを含むことができる。これは、無線通信装置１０４に対する専用リソースを確立する。
【００３８】
無線通信装置１０４は、次いで、RR ESTablish INDication（ＰＲ確立指示）メッセージ４０３（該メッセージ４０３は、LOCation_UPDate（ロケーション更新）メッセージを含む）によりコントローラ３１２（例えばＢＳＣ）に応答する。コントローラ３１２は、Complete Layer ３ Information（コンプリートレイヤ３インフォメーション）メッセージ４０４を用いてRR EST INDメッセージ４０３をネットワークアダプタ１４４に送り、これは、全イニシャルメッセージ（これにより接続が確立され得る）を移送するために使用される。このメッセージは、例えば、Location Area Code（ロケーションエリアコード）（ＬＡＣ）、セルアイデンティティ、及び／又はその他を含むことができる。無線ネットワークアダプタ１４４は、send AUTHentication INFOrmation（センド認証インフォメーション）メッセージ４０５をロケーションレジスタ３３０（例えばＨＬＲ又はＶＬＲ）へ送って有効認証データを要求し、ロケーションレジスタ３３０は、send AUTHentication INFOrmation ReSPonse（センド認証インフォメーション応答）メッセージ４０６により応答する。無線ネットワークアダプタ１４４は、無線通信装置１０４を認証するため、接続設定中にAUTHentication REQuest（認証要求）（Ciphering Key Sequence Number，RANDom number）（暗号化キーシーケンスナンバー、ランダムナンバー）メッセージ４０７をコントローラ３１２に送り、AUTH REQ（ＣＫＳＮ、ＲＡＮＤ）メッセージ４０７はコントローラ３１２を通じて無線通信装置１０４へと中継（リレー）される。無線ネットワークアダプタ１４４は、ロケーションレジスタ３３０からsend auth info rspメッセージ４０６を受信するや否や、ロケーションレジスタ３３０から取得される上記ＲＡＮＤと、上記ＣＫＳＮ等の他の認証パラメータとを含み、これらは無線通信装置１０４に伝えられるのに必要である。
【００３９】
無線通信装置１０４は、符号付き応答（ＳＲＥＳ）を計算し、ＳＲＥＳをAUTHentication RESPonse（SRES）メッセージ４０８において無線ネットワークアダプタ１４４に送り返し、これはコントローラ３１２を通じて中継される。AUTHentication RESPonse（SRES）メッセージ４０８において受信されたSRESがロケーションレジスタ３３０から受信したものと一致する場合、無線ネットワークアダプタ１４４は、CIPHER MODE CoMmanD（暗号モードコマンド）メッセージ４０９をコントローラ３１２を通じて無線通信装置１０４に送ることにより、暗号化手順を開始する。無線通信装置１０４は、CIPHER MODE CoMPlete メッセージ４１０を無線ネットワークアダプタ１４４に送ることにより（これはコントローラ３１２を通じてルーティングされる）、CIPHER MODE CMDメッセージ４０９が受信されたことを確認する。この時点で暗号化が始まる。
【００４０】
プロセス４００は図４Ｂにおいて継続され、ここで、無線ネットワークアダプタ１４４は、コントローラ３１２を通じてIDENTity REQuest（アイデンティティ要求）（Internal モバイル Equipment Identity）（内部モバイル機器アイデンティティ）メッセージ４５１を無線通信装置１０４に送る。このステップは、例えば、機器チェック機能が無線ネットワークアダプタ１４４においてアクティブの場合に行われる。各無線通信装置１０４は、それ自体のＩＭＥＩを有し、それは固有の識別子である。ＩＭＥＩは、例えば、タイプ（型）承認コード、シリアル番号、最終組立（製造事業者）コード、タイプ識別子、及び／又はその他を含み得る。無線通信装置１０４は、そのＩＭＥＩをIDENTity RESPonse（アイデンティティ応答）（ＩＭＥＩ）メッセージ４５２により（これはコントローラ３１２を通じて送られる）無線ネットワークアダプタ１４４に伝える。無線ネットワークアダプタは、UpdateLocation（更新ロケーション）メッセージ４５３をロケーションレジスタ３３０に送り、これは、ロケーションレジスタ３３０が無線通信装置１０４に関連する格納した情報を更新することを許容する。
【００４１】
ロケーションレジスタ３３０は、Insert加入者Data（インサート（挿入）加入者データ）メッセージ４５４を用いてすべての加入データを無線ネットワークアダプタ１４４に送ることにより、無線ネットワークアダプタ１４４に応答する。該Insert加入者Dataメッセージ４５４は、例えば、無線通信装置１０４のディレクトリ番号であるモバイル加入者ＩＳＤＮ（ＭＳＩＳＤＮ）を含み得る。このメッセージは、サービス加入者データベース３２６（これは、例えば加入者データベース識別子を含む）を特定するのに使用される。無線ネットワークアダプタは、機能サーバ３２６（例えばＡＳＸ）にREGISTER（レジスタ）メッセージ４５７を送り、これは、例えば、無線通信装置１０４のＭＳＩＳＤＮを含む。機能サーバ３２６は、２００ＯＫメッセージ４５８により応答し、REGISTERメッセージ４５７の受信を承認する。無線ネットワークアダプタ１４４は、コントローラ３１２を通じてLOCation UPDating ACCept（ロケーション更新アクセプト）（Temporary モバイル 加入者 Identity）（一時的モバイル加入者アイデンティティ）メッセージ４５９を無線通信装置１０４に送り、ここで、LOC UPD ACC（ＴＭＳＩ）メッセージ４５９は、ロケーション更新の成功を確認して新規ＴＭＳＩを割り当てる。
【００４２】
無線通信装置１０４によるサービスがもはや必要なくなった場合、無線ネットワークアダプタ１４４は、CLeaR CoMmanD（クリアコマンド）メッセージ４６０をコントローラ３１２に送り、無線リソースを解放する。サービスの終了を完成させるため、コントローラ３１２は、CHANnel RELease（チャンネル解放）メッセージ４６１を無線通信装置１０４に送り、無線通信装置１０４に対する接続を切断する。図４Ａ及び４Ｂは、ロケーション更新のために無線ネットワークアダプタ１４４がＭＳＣ／ＶＬＲ機能をどのように実行するかを示す。例えば、それは無線通信装置１０４ロケーション（位置）を常時監視（追跡）し、ロケーションエリアの変化についてロケーションレジスタ３３０を更新し、及び／又はその他を行う。ＳＩＰ登録は、例えばＭＳＩＳＤＮを用いて実行され得、また、ロケーションレジスタ３３０はＩＭＳＩ−ＭＳＩＳＤＮマッピングを提供する。ＳＩＰ登録キープアライブは、例えば、無線ネットワークアダプタ１４４により実行可能である。有利には、例えば、サービスは、別個の有線及び無線コアネットワークとは対照的に、コアネットワークにより提供され、モビリティ（移動性）側面はサービスを提供する前に処理される。
【００４３】
図５はプロセス４７０を示し、これは、無線通信装置１０４が外部ネットワークから図１に示すローカル無線通信ネットワーク１０２内にロームする場合の図３のアクセスノードネットワークアーキテクチャ３００の構成要素を例示する。例えば、在圏（訪問）ネットワークからホームネットワーク内へのＭＳローミングである。図４Ａと同様のステップを用いて、無線通信装置１０４は、CHN REQメッセージ４０１をコントローラ３１２（例えばＢＳＣ）に送り、コントローラ３１２は、IMM ASS CMD４０２により無線通信装置１０４に応答する。無線モバイル加入者１０４は、次いで、RR EST INDメッセージ４０３（これはLOC_UPDメッセージ）によりコントローラ３１２に応答する。コントローラ３１２は、CL３I メッセージ４０４を用いてRR EST INDメッセージ４０３を無線ネットワークアダプタ１４４に送る。コントローラ３１２は、例えば、現在ＬＡＣ、セルアイデンティティ及びＴＭＳＩをCL３I メッセージ４０４に挿入する。無線ネットワークアダプタ１４１は、例えば、無線通信装置１０４からの第１ロケーション更新を機能サーバ３２６に向けてマップすることができる。ロケーションの変化は、マクロ無線ネットワーク２０５のスイッチ３４０が同じ状態のままである限り、機能サーバ３２６に伝えられる必要はない。
【００４４】
無線ネットワークアダプタ１４４は、Send Identification（センド識別）メッセージ５０１における旧（オールド）ロケーションレジスタ５００（例えば旧ＶＬＲ）からの有効認証データを要求する。該旧ロケーションレジスタ５００は、Send Identification Response（センド識別応答）メッセージ５０２（Authentication Information, Internal モバイル 加入者 Identity（認証インフォメーション、内部モバイル加入者アイデンティティ））メッセージ５０２（これは、例えば、認証キー、ＩＭＳＩ、及び／又その他を含むことができる）により、無線ネットワークアダプタ１４４に応答する。次いで、図４Ａに示すように認証５０３及び暗号化５０４が行われる。無線ネットワークアダプタは、UpdateLocation（更新ロケーション）メッセージ４５３をロケーションレジスタ３３０（例えばＨＬＲ）に送り、これは、ロケーションレジスタ３３０が無線通信装置１０４に関連する格納された情報を更新することを許容する。ロケーションレジスタ３３０は、例えば、格納された加入者データを削除するため、Cancel Location（キャンセルロケーション）（ＩＭＳＩ）メッセージ５０５を旧ロケーションレジスタ５００に送る。ロケーションレジスタ３３０は、すべての加入者データを無線ネットワークアダプタ１４４に返送し、これは、例えばＭＳＩＳＤＮを含む。
【００４５】
残りのステップは、図４Ｂのプロセス４００と同じステップをたどる。無線ネットワークアダプタは、REGISTER（レジスタ）メッセージ４５７を機能サーバ３２６に送り、機能サーバ３２６は２００ＯＫメッセージ４５８により応答し、REGISTERメッセージ４５７の受信を承認する。無線ネットワークアダプタ１４４は、コントローラ３１２を通じてLOC UPD ACC（ＴＭＳＩ）メッセージ４５９を無線通信装置１０４に送る。無線通信装置１０４サービスを終わらせるため、無線ネットワークアダプタ１４４は、CLR CMDメッセージ４６０をコントローラ３１２に送り、また、サービスの終了を完成させるため、コントローラ３１２は、CHAN RELメッセージ４６１を無線通信装置１０４に送る。
【００４６】
図６Ａ及び６Ｂはプロセス６００を示し、これは、ＰＳＴＮ／他のモバイルネットワーク２２０へのモバイル発信（ＭＯ）呼のための図３のいくつかの構成要素の相互作用を例示する。図６Ａ及び６Ｂは、図４Ａ、４Ｂ及び５に例示した機能（性）のいくつかを組み入れる。呼制御及びルーティング論理等の呼設定機能は、例えば、ＳＣＰ３３６及び機能サーバ３２６（例えばＰＳＸ）と共に存在する。無線ネットワークアダプタ１４４は、無線リソース、ロケーション側面、ローミング側面、及び／又はその他の側面等の他の側面を管理する。ＭＯ対ＰＳＴＮ／他のモバイルネットワーク２２０では、機能サーバ３２６が、例えばポリシーディップを実行する場合、ＳＣＰ３３６は、ロケーションレジスタ３３０とのやり取りを伴うことなく、ノーマル呼ルーティングを行う。ＳＣＰ３３６は、該ルート（経路）をゲートウェイモバイルスイッチングセンター（ＧＭＳＣ）に戻し、該ＧＭＳＣ機能は、ゲートウェイスイッチ３２２（例えばＧＳＸ）及びＳＣＰ３３６に具現化される。ＧＭＳＣ機能は、例えば、ＰＳＴＮシグナリング及びトラフィックフォーマットの終了、該フォーマットの、モバイルネットワークで使用されるプロトコルへの変換、ルーティング情報を取得するモバイル終了（ＭＴ）呼のためのロケーションレジスタ３３０との情報のやり取りを含む。
【００４７】
メディア処理では、無線ネットワークアダプタ１４４はメディア設定及び分解を制御する。無線ネットワークアダプタ１４４は、無線通信装置１０４と通信する際に、例えばＡＭＲ圧縮を用いることができ、その場合、モバイル対ＰＳＴＮ呼では、これらは、アクセスノード１４０でパケット対パケット（Ｐ２Ｐ）ＡＭＲ−Ｇ．７１１トランスコーディングを受けるであろう。モバイル対モバイル呼は、例えば、トランスコーダフリーオペレーション（ＴｒＦＯ）呼であり、また、無線ネットワークアダプタ１４４は、ピア無線ネットワークアダプタ１４４に向けてCLEARMODE（クリアモード）を取り決めるであろう。
【００４８】
無線通信装置１０４は、CM SERVice REQuest（ＣＭサービス要求）メッセージ６０１をコントローラ３１２に送り、コントローラ３１２は、CL３I［CM SERV REQ］メッセージ６０２（これは、例えば、ＴＭＳＩ、ＩＭＳＩ、及び／又はその他を含む）を用いてCM SERV REQ６０１を無線ネットワークアダプタに送る。CL３I［CM SERV REQ］はまた、サービスのタイプ、例えば、アクティベーション（起動）、モバイル発信呼、緊急呼出し、ＳＭＳ、及び／又は、その他等を指定するために使用され得る。図４Ａと同様に、認証手順が終わり、次いで、無線ネットワークアダプタ１４４がＤＴ１［CM SERV ACCept］メッセージ６０３をコントローラ３１２に送り、コントローラ３１２が該CM SERV ACCメッセージ６０４を用いて該情報を無線通信装置１０４へと中継する。これは、無線通信装置１０４に対し、該CM SERV REQメッセージ６０１がスイッチ３４０によって処理され受け入れられたことを確認する。暗号化５０４は図５に例示されるように行われる。
【００４９】
無線通信装置１０４は、Call Control SETUP（呼制御設定）メッセージ６０５をコントローラ３１２に送信する。該CC SETUP（Called Party Number（被呼者番号））メッセージ６０５は、例えば、被呼者のアドレス情報、又は接続のタイプを含む得る。コントローラ３１２は、ＤＴ１［SETUP（設定）］メッセージ６０６を用いてCC SETUPメッセージ６０５へと無線ネットワークアダプタ１４４中継する。無線ネットワークアダプタ１４４は、ＤＴ１［ASSignment REQuest （割当て要求）（Traffic CHannels（トラフィックチャンネル））］メッセージ６０７をコントローラ３１２に送り、チャンネル（例えば、無線インターフェース又はＡ−インターフェース）を割り当てる。TCH Assignment（ＴＣＨ割当て）６０８段階（フェーズ）において、コントローラ３１２は、利用可能なリソースから一つのＴＣＨを選択して、該ＴＣＨを割り当てることができる。コントローラ３１２は、ＤＴ１［ASSignment CoMPlete（割当て完了）］メッセージ６０９を、ＤＴ１［ASS REQ（TCH）］メッセージ６０７に対する肯定応答（例えば、無線通信装置１０４がＴＣＨに変化して接続を確立したことを表示する）として無線ネットワークアダプタ１４４に送る。
【００５０】
無線ネットワークアダプタ１４４は、接続のために特定のＣｄＰＮを勧誘するため、ＳＣＰ３３６及び機能サーバ３２６を通じてINVITE（勧誘）（ＣｄＰＮ）メッセージ６１０をゲートウェイスイッチ３２２に送る。該INVITE（ＣｄＰＮ）メッセージ６１０は、例えば、被呼者のディレクトリ番号を含む。ゲートウェイスイッチ３２２は、Initial Address Message（初期アドレスメッセージ）６１１をＰＳＴＮ／他のモバイルネットワーク２２０に送信し、該接続を設定する。ゲートウェイスイッチ３２２は、無線ネットワークアダプタ１４４に応答し、１００メッセージ６１２はＳＣＰ３３６及び機能サーバ３２６を通じて中継される。無線ネットワークアダプタ１４４は、コントローラ３１２に対するＤＴ１［CALL PROCeeding（呼進行）］メッセージ６１３により、ＩＡＭメッセージ６１２が首尾良く送られたことを確認し、コントローラ３１２は、この情報を、CALL PROC メッセージ６１４を用いて無線通信装置１０４へと中継する。
【００５１】
図６Ｂのプロセスは、モバイル発信（ＭＯ）呼対ＰＳＴＮ／他のモバイルネットワーク２２０のための図３の構成要素の情報のやり取りの場合の図６Ａのプロセス６００の通信である。ゲートウェイスイッチ３２２は、ＰＳＴＮ／他のモバイルネットワーク２２０からAddress Complete Message（アドレス完了メッセージ）６５０を受信する。ＡＣＭ６５０は、ISDN User Part（ＩＳＤＮユーザ部）（ＩＳＵＰ）の一部であり、また、無線通信装置１０４でのリングバックトーン（呼出し音）の発生に責任を負う。ゲートウェイスイッチは、ＳＣＰ３３６及び機能サーバ３２６を通じて、リングバックトーンを示す１８０（リンギング（呼出し））メッセージ６５１を無線ネットワークアダプタ１４４に送る。無線ネットワークアダプタ１４４は、ＤＴ１［ALERTING（警報）］メッセージ６５２をコントローラ３１２に送ってＭＯ呼を示し、これは、ALERTING６５３メッセージにおけるコントローラ３１２を通じて無線通信装置１０４に送られる。ALERTING６５３メッセージは常に該呼の開始側に送られ、これは、一例として無線通信装置１０４である。
【００５２】
ゲートウェイスイッチ３２２は、ＰＳＴＮ／他のモバイルネットワーク２２０からISUP Answer Message（ＩＳＵＰ応答メッセージ）を受信し、これは、ＰＳＴＮ／他のモバイルネットワーク２２０のＭＳＣとのチャンネルを確立する。ゲートウェイスイッチ３２２は、ＡＮＭの受信を示すため、ＳＣＰ３３６及び機能サーバ３２６を通じて２００ＯＫ６５５メッセージを無線ネットワークアダプタ１４４に送る。無線ネットワークアダプタ１４４は、ＤＴ１［CONNECT（接続）］メッセージをコントローラ３１２に送り、その結果、コントローラ３１２がCONNECTメッセージ６５７を無線モバイル加入者に送る。該CONNECTメッセージ６５７は、無線通信装置１０４に対し、例えば、接続が首尾良く確立されたことを示す。CONNection ACKnowledge（接続確認）メッセージ６５８がCONNECTメッセージ６５７の受信に対する承認として無線通信装置１０４によりコントローラ３１２に送られる。呼設定は、例えば、CONN ACKメッセージ６５８が送られた後でのみ成功したとみなされる。コントローラ３１２は、CONN ACKメッセージ６５８を伝えるため、ＤＴ１［CONN ACK］メッセージ６５９を無線ネットワークアダプタ１４４に送る。無線ネットワークアダプタ１４４は、ＳＣＰ３３６及び機能サーバ３２６を通じてACKnowlege（承認）メッセージ６６０をゲートウェイスイッチ３２２に送る。
【００５３】
呼を終了させるため、無線通信装置１０４は、CC DISCメッセージ６６１をコントローラ３１２に送り、ＣＣ接続を切断する。CC DISCメッセージ６６１は、例えば、何故該呼が切断されたかの理由を示す原因値を含む。コントローラ３１２は、ＤＴ１［DISC］メッセージ６６２を用いてCC DISCメッセージ６６１を無線ネットワークアダプタ１４４に伝える。無線ネットワークアダプタ１４４は、ＳＣＰ３３６及び機能サーバ３２６を通じてBYEメッセージ６６３をゲートウェイスイッチ３２２に送る。BYEメッセージ６６３を受信するや否や、ゲートウェイスイッチ３２２は、RELease（解放）メッセージ６６４をＰＳＴＮ／他のモバイルネットワーク２２０に送る。該RELメッセージ６６４は、該接続を終了させる責任を負うISUPメッセージに対応する。ＰＳＴＮ／他のモバイルネットワーク２２０は、ReLease Complete（解放完了）メッセージ６６５をゲートウェイスイッチ３２２に送ることにより、該解放を確認する。ゲートウェイスイッチ３２２は、２００ＯＫメッセージ６６６と共に、ＲＬＣ６５５の受信をＳＣＰ３３６及び機能サーバ３２６を通じて無線ネットワークアダプタ１４４に伝える。これに応じて、無線ネットワークアダプタ１４４は、ＤＴ１［RELEASE（解放）］メッセージ６６７をコントローラ３１２に送り、コントローラ３１２は、CC RELEASE（ＣＣ解放）メッセージ６６８を用いてＤＴ１［RELEASE（解放）］メッセージを無線通信装置１０４に伝える。CC RELEASE（ＣＣ解放）メッセージ６６８は、例えば、該接続を終了させる責任を負う。
【００５４】
無線通信装置１０４は、CC RELEASE（ＣＣ解放）メッセージ６６８に応答して、CC RELease COMPlete（ＣＣ解放完了）メッセージ６６９をコントローラ３１２に送る。CC REL COMPメッセージ６６９は、例えば、該リソースが解放されたことを示す。コントローラ３１２は、ＤＴ１［REL COMP］メッセージ６７０を用いてCC REL COMP メッセージ６６９を無線ネットワークアダプタ１４４に伝える。無線ネットワークアダプタ１４４は、ＤＴ１［CLeaR CoMmanD（クリアコマンド）］ メッセージ６７１をコントローラ３１２に送ることにより、ＤＴ１［REL COMP］メッセージ６７０に応答する。ＤＴ１［CLR CMD］メッセージ６７１は、無線通信装置１０４に対して無線リソースを解放するために使用され、これは、無線チャンネル解放６７２中に行われる。無線チャンネル解放６７２が完了次第、コントローラ３１２は、ＤＴ１［CLeaR CoMPlete（クリア完了）］メッセージ６７３を無線ネットワークアダプタに送る。ＤＴ１［CLR CMP］メッセージ６７３はリソースの解放を確認する。
【００５５】
モバイルターミネーション（ＭＴ）呼では、ゲートウェイスイッチ３２２及びＳＣＰ３３６はポリシーディップを開始する。ＳＣＰ３３６は、ロケーションレジスタ３３０問合せ（クエリ）を開始し、これは、無線通信装置１０４に現在サービスを提供している訪問モバイルスイッチングセンタ（ＶＭＳＣ）のアドレスを返送し、これは、例えば、無線通信装置１０４が登録した機能サーバ３２６に対応可能である。モバイル対モバイル呼では、機能サーバ３２６はポリシーディップを開始し、ＳＣＰ３３６はマクロ無線ネットワーク２０５に問い合わせる。ローミングＭＯ及びＭＴ呼は、例えば、訪問先パブリックランドモバイルネットワーク（ＶＰＬＭＮ）から発生するであろう。ローミングＭＯ呼では、無線通信装置１０４がＶＰＬＭＮに登録した場合、該呼は、例えばロケーション更新中に該訪問ＭＳＣ（ＶＭＳＣ）によってダウンロードされた情報に基づいてルーティングされる。アクセスノードネットワークアーキテクチャ３００との相互作用はないであろう。ＭＴ呼はまた、該呼が元々ＰＳＴＮ／他のモバイルネットワーク２２０から生じ、無線通信装置１０４がＶＰＬＭＮ内へロームした場合、例えば、ＶＰＬＭＮから発生することができる。ゲートウェイスイッチ３２２は、無線通信装置１０４の現在ロケーションに対するロケーションレジストリ（例えば、マクロ無線ネットワーク２０５のロケーションレジスタ）についての問合せを開始する。ロケーションレジストリからの応答に基づいて、ゲートウェイスイッチ３２２は、適切なサービングＶＭＳＣへと該呼をルーティングする。機能サーバ３２６又は無線ネットワークアダプタ１４４との情報のやり取りは不要である。有利には、無線ネットワークアダプタ１４４は、例えば、ピコ／フェムトＢＴＳに対するＢＳＣ／ＭＳＣ組合せのように見え、コアネットワークに向けてＳＩＰエンドポイント挙動をエミュレートする。例えば、無線ネットワークアダプタは、ＳＩＰに対するＧＳＭ呼制御メッセージを織り込み、ＭＳＣロケーション手順を処理し、かつＭＳＣハンドオーバ手順を処理することができる。
【００５６】
図７のシステムブロック図７００は、無線通信装置１０４Ａ〜無線通信装置１０４Ｂ（一般に無線通信装置１０４）に対する図３の構成要素の相互作用の例を示す。両無線通信装置１０４間の通信のために二つの可能性があり、ここで、これらは、機能サーバ３２６Ａ及び機能サーバ３２６Ｂ（一般に機能サーバ３２６、例えばＡＳＸ）により、又は同じ機能サーバによりサポートされ、これは、機能サーバ３２６Ａと機能サーバ３２６Ｂ間の相互作用を組み込むであろう。該通信は、無線ネットワークアダプタ１４４Ａ及び無線ネットワークアダプタ１４４Ｂ（一般に無線ネットワークアダプタ１４４）と、メディアゲートウェイ１４８Ａ及びメディアゲートウェイ１４８Ｂ（一般にメディアゲートウェイ１４４、例えばＭＧＷ）と、受信モジュール７０２Ａ及び受信モジュール７０２Ｂ（一般に受信モジュール７０２）とを含む。受信モジュール７０２は、例えば、基地局、ＢＳＣ、及び／又はピコ／フェムトアクセスポイントであり得る。受信モジュール７０２は、例えばＡＭＲ／ＲＴＰを用いてメディアゲートウェイ１４４と通信する。メディアゲートウェイ１４８Ａは、例えばＧ．７１１／ＲＴＰを用いてメディアゲートウェイ１４８Ｂと通信する。
【００５７】
受信モジュール７０２は、SETUP（設定）７１１コマンドを無線ネットワークアダプタ１４４に送る。これは、例えば、CM SERV REQメッセージを無線ネットワークアダプタ１４４を送り、認証し、暗号化する受信モジュール７０２と、CM SERV ACC メッセージを受信モジュール７０２に送る無線ネットワークアダプタ１４４と、トラフィックチャンネル（ＴＣＨ）割当てを確立する受信モジュール７０２及び無線ネットワークアダプタ１４４とを含むことができる。無線ネットワークアダプタ１４４は、INVITE（勧誘）７１２コマンドを機能サーバ３２６に送る。INVITE７１２は、例えばCdPNを含むことができる。機能サーバ３２６Ａは、無線通信装置１０４Ｂに対しルーティング情報を要求するため、Send Routing Information（センドルーティングインフォメーション）７１４をロケーションレジストリ３４２（これはマクロ無線ネットワーク２０５と通信可能である）に送る。ロケーションレジストリ３４２は、供給ローミング番号メッセージ７１５を無線ネットワークアダプタ１４４Ｂに送り、これは、ローミング番号の予約（確保）を要求するためにロケーションレジストリ３４２によって用いられるメッセージである。無線ネットワークアダプタ１４４Ｂは、該番号を確保（予約）し、該ローミング番号が確保された後に供給ローミング番号承認７１６をロケーションレジストリ３４２に送る。
【００５８】
ロケーションレジストリ３４２は、供給ローミング番号承認７１６を受信するや否やＳＲＩ承認７１７を機能サーバ３２６Ａに送る。機能サーバ３２６Ａは、例えばＭＳＲＮを含むINVITE（勧誘）（モバイル 加入者 Roaming Number（モバイル加入者ローミング番号））メッセージ７１９を送る。機能サーバ３２６Ｂは、INVITEメッセージ７２２を無線ネットワークアダプタ１４４Ｂに送る。無線ネットワークアダプタ１４４Ｂは、SETUP（設定）メッセージ７２３を受信モジュール７０２Ｂに送り、これは、該要求を受け入れるため；呼出し無線通信装置１０４Ａのアイデンティティを無線通信装置１０４Ｂに透過的に伝えるため；及び／又は、その他のために必要な技術的必須条件について無線通信装置１０４Ｂに知らせるために用いられる。
【００５９】
図８Ａ〜図８Ｃは、システムブロック図７５０（図３の構成要素のいくつかを備える）を例示し、ステムブロック図７５０は、通信装置８０５と通信する無線通信装置１０４についての内部ＭＳＣハンドオーバを示す。これは、例えば、フェムトセル対フェムトセルＨＯであり得る。無線ネットワークアダプタ１４４は、メディアゲートウェイ１４８と共にハンドオーバを処理する。フェムトセル対フェムトセルハンドオーバでは、例えば、各フェムトセルは、それ自体の無線リソース管理を有しかつＢＳＣのように作動し、また、無線ネットワークアダプタ１４４は、内部ＢＳＣハンドオーバとしてそれを処理する。フェムトセル／ピコセル対マクロＧＳＭハンドオーバでは、例えば、無線ネットワークアダプタ１４４は、内部ＢＳＣハンドオーバとしてそれを処理する。
【００６０】
図８Ａのシステムブロック図７５０は、ハンドオーバが発生する前の通信を例示する。無線通信装置１０４は、受信モジュール７０２（例えば、図７に示すような基地局、ＢＳＣ、フェムトセル、及び／又はピコセル）と通信する。受信モジュール７０２は、例えば、Ａ又はＩｕインターフェースプロトコルオーバインターネットプロトコルを用いて、無線ネットワークアダプタ１４４と通信する。受信モジュール７０２はまた、例えばＡＭＲ／ＲＴＰを用いてメディアゲートウェイ１４８と通信する。メディアゲートウェイ１４８は、例えば、Ｈ．２４８等のメディアゲートウェイ制御プロトコルを直接用いて無線ネットワークアダプタ１４４と通信する。メディアゲートウェイ１４８はまた、例えばＧ．７１１／ＲＴＰを用いてゲートウェイスイッチ３２２と通信する。ゲートウェイスイッチ３２２（例えばＧＳＸ）は、例えばＴＤＭを用いてＰＳＴＮ／他のモバイルネットワーク２２０とブリッジする。無線ネットワークアダプタ１４４は、例えばＳＩＰを用いて機能サーバ３２６と通信する。
【００６１】
呼のアクティブ段階中、無線通信加入者１４４は測定報告を受信モジュール７０２に送る。受信モジュール７０２は、ハンドオーバが要求されたことを確認し、ハンドオーバ要求メッセージを望ましい新規基地局を示すサポーティングスイッチ３４０に送る。基地局３０４における無線リソースを確保するため、スイッチ３４０はハンドオーバ要求をターゲット受信モジュール８００に送る。
【００６２】
図８Ｂのシステムブロック図７５０は、ハンドオーバ中の通信を例示し、ここで、メディアゲートウェイ１４８は音声ストリームを混合する。図８Ａの通信路に加え、無線通信装置１０４は、受信モジュール７０２の他にターゲット受信モジュール８００と通信する。ターゲット受信モジュール８００は、例えば、図８Ｂと同様にＡインターフェースによるＩＰを用いて無線ネットワークアダプタ１４４及びメディアゲートウェイ１４８と通信する。該新規基地局（図示せず）は、ハンドオフ（チャンネル切換え）のために要求されたリソースを割り当て、ハンドオーバコマンドと共にハンドオーバ要求承認をスイッチ３４０に送る。無線インターフェースにおいて、無線通信装置１０４は、新規な呼に対するハンドオーバを実行し、HND ACCメッセージを該新規基地局を送る。該旧基地局は、HND ACCメッセージを新規基地局に向けてHND DETメッセージに対してマップし、新規基地局はHND DETをスイッチ３４０を送る。無線ネットワークアダプタ１４４は、三つのターミネーション（終端）のための会議を設定する。
【００６３】
図８Ｃのシステムブロック図は、ハンドオーバが発生した後の通信路を示し、ここでは受信モジュール７０２の経路はクリアされている。一旦無線通信装置１０４がハンドオーバが完了したことを検出すると、無線通信装置１０４は、ハンドオーバ完了メッセージを新規基地局（図示せず）に送り、これは、旧基地局と無線通信装置１０４間のアソシエーションを終了させる手続きを開始するスイッチ３４０に転送される。受信モジュール７０２は、無線ネットワークアダプタ１４４又はメディアゲートウェイ１４８のいずれかに対する接続をもはや有していない。その代わりに、無線通信装置１０４はターゲット受信モジュール８００に接続され、ターゲット受信モジュール８００は図８Ｂに記載される接続を維持する。
【００６４】
図９Ａ〜図９Ｃのシステムブロック図９００は、図３の構成要素が、図８Ａ〜図８Ｃに基づいて、内部ＭＳＣハンドオーバ中、通信装置８０５と通信する無線通信装置１０４とどのように相互作用（情報をやり取り）するかの例を示す。これは、例えば、フェムトセル又はピコセル対マクロＧＳＭネットワークＨＯ中であり得る。
【００６５】
図９Ａのシステムブロック図９００は、ハンドオーバ前にネットワーク構成要素及び接続を示す。図９Ａでは、図８Ａの通信に加えて、ターゲットスイッチ９０５は、例えば、ＭＡＰ−Ｅインターフェースを用いて無線ネットワークアダプタ１４４と通信する。該Ｅインターフェースは、Ａインターフェースからもたらされる内部ＭＳＣハンドオーバ中に情報を中継するために使用される。無線通信装置１０４は受信モジュール７０２と通信する。受信モジュール７０２は、無線ネットワークアダプタ１４４及びメディアゲートウェイ１４８と通信する。メディアゲートウェイ１４８は、無線ネットワークアダプタ１４４及びゲートウェイスイッチ３２２と通信する。ゲートウェイスイッチ３２２は、ＰＳＴＮ／他のモバイルネットワーク２２０とブリッジする。更に、無線ネットワークアダプタ１４４は機能サーバ３２６と通信する。
【００６６】
セルのアクティブ段階中、無線通信装置１０４は測定報告を受信モジュール７０２に送る。受信モジュール７０２は、例えば、ハンドオーバが要求されたことを確認し、ハンドオーバ要求メッセージをスイッチ３４０に送り、ターゲット基地局を示す。受信モジュール７０２は、ターゲット領域が異なるターゲット受信モジュール８００（例えばターゲットＢＳＣ）によって制御されることを検出し、また、受信モジュール７０２は、例えばＭＡＰを用いて準備ハンドオーバメッセージをターゲット受信モジュール８００に送る。ターゲット基地局（図示せず）における無線リソースを確保するため、ターゲット受信モジュール８００は、ハンドオーバ要求をターゲットスイッチ９０５に送る。ターゲット受信モジュール８００が送った準備ハンドオーバ応答は、例えば、ＨＯ番号及びハンドオーバコマンドを含むことができる。
【００６７】
図９Ｂは、図９Ａのシステムブロック図９００であり、これは、ハンドオーバ中の構成要素の相互作用を例示する。新規なスイッチ３４０対ターゲットスイッチ９０５呼が存在し、該呼は、ゲートウェイスイッチ３２２及び機能サーバ３２６を通じて処理される。スイッチ３４０とターゲットスイッチ９０５間のシグナリングは例えばＭＡＰであり得る。スイッチ３４０とターゲットスイッチ９０５間の音声は、例えばＴＤＭであり得る。無線通信装置１０４は、目下、ターゲット受信モジュール８００と通信する。ターゲット受信モジュール８００は、例えばＡＭＲ／ＲＴＰを用いてターゲットスイッチ９０５と通信する。
【００６８】
一旦無線ネットワークアダプタ１４４が準備ハンドオーバ応答を受信すると、無線ネットワークアダプタ１４４は、被呼者番号としてＨＯ番号を用いて、例えば、ターゲットスイッチ９０５に向けて呼の開始を実行し、受信モジュール７０２及び／又はその他を通じてハンドオーバコマンドを無線通信装置１０４に送る。Ａインターフェースにおいて、無線通信装置１０４は、例えば、新規基地局に対するハンドオーバを実行し、ハンドオーバアクセプトメッセージを該基地局に送る。基地局３０４は、ハンドオーバアクセプトメッセージを新規基地局に向けてハンドオーバ検出メッセージに対してマップする。新規基地局は、該ハンドオーバ検出メッセージをターゲットスイッチ９０５に送る。ターゲットスイッチ９０５は、例えばＭＡＰを用いてハンドオーバ検出メッセージを無線ネットワークアダプタ１４４へと中継する。ターゲットスイッチ９０５はまた、受信モジュール７０２及びターゲット受信モジュール８００呼に対して応答メッセージを送る。
【００６９】
図９Ｃは、９Ａ及び９Ｂと同じシステムブロック図９００であり、ＨＯが発生した後の構成要素の相互作用を更に示す。無線ネットワークアダプタ１４４は、三つのターミネーションのための会議を設定する。一旦無線通信装置１０４がハンドオーバが完了したことを検出すると、無線通信装置１０４は、ハンドオーバ完了メッセージをターゲット受信モジュール８００に送る。ハンドオーバ完了メッセージは、ターゲット受信モジュール８００により無線ネットワークアダプタ１４４に転送され、無線ネットワークアダプタ１４４は、ハンドオーバ完了メッセージをターゲット受信モジュール８００に送る。ハンドオーバ完了メッセージは、ターゲットスイッチ９０５により無線ネットワークアダプタ１４４に転送され、無線ネットワークアダプタ１４４は、例えば、旧受信モジュール７０２と無線通信装置１０４間の無線リソース（ＲＲ）管理アソシエーションを終了させる手順を開始する。旧基地局に対する経路はクリアされる。スイッチ３４０はＣＣを保持する。ターゲットスイッチ９０５は、すべてのＣＣメッセージを中継する。
【００７０】
図３を参照して、アクセスノードは、自動転送、通話中着信、呼保留、呼転送、マルチパーティ呼、音声メール通知、緊急呼出し、ライン識別サービス、呼終了、通話制限、プリペイド呼出し、及び／又は、その他を提供する。他の補助サービスは、拡張マルチレベルプレシーデンス（enhanced multi-level precedence）及びプリエンプション（ｅＭＬＰＰ）、チャージのアドバイス、フォローミー（FollowMe）、閉域通信サービス（ＣＵＧ）呼、及び／又は、その他を含むことができる。有利には、メディアゲートウェイ１４８は、例えば、音声の固定し、また、パケット対パケットＴｒＦＯ又はＡＭＲ−Ｇ．７ｘｘフローの提供、ハンドオーバに対するフォーｎ−ウェイ（ｎ人の参加者による通話）機能（for n-way features for handovers）の提供、帯域内トーンの挿入（例えば、通話中着信、ミッドコールＤＴＭＦ）、CALEAに対するサポートの提供、トランスコーダレート適合ユニット（ＴＲＡＵ）機能の提供等を行うことができる。
【００７１】
図１０はプロセス１０００を示し、これは、無線通信装置１０４Ａから無線通信装置１０４Ｂに向かうＭＯ呼中における図３の構成要素のいくつかの相互作用を例示する。呼自動転送は、例えばスリージーピーピ（Third Generation Partnership Project（３ＧＰＰ））を用いて実行され得る。該３ＧＰＰは、例えば、無条件自動転送（ＣＦＵ）、オンモバイル加入者話中（ビジー）自動転送（ＣＦＢ）、到達不可能自動転送（ＣＦＮＲ）、無応答自動転送（ＣＦＮＡ）、及び／又はその他を定義する。登録、消去、起動、動作停止、問合せ、及び／又はその他等の手順がREGISTER（レジスタ）メッセージを用いて提供される。機能サーバ３２６は、バーティカルサービスコード（ＶＳＣ）、機能サーバ３２６に対するウェブベースのインターフェース、及び／又はその他のものを用いてそのような手順を定義する。無線ネットワークアダプタ１４４は、例えば、無線通信装置１０４からのREGISTERメッセージを機能サーバ３２６に向かうウェブポータルベースの相互作用に対してマップする。無線ネットワークアダプタ１４４はまた、例えば、適切なＶＳＣによりREGISTERをＡＳＸに向かうINVITEへとマップすることができる。
【００７２】
図１０の構成要素は、無線ネットワークアダプタ１４４Ａ及び無線ネットワークアダプタ１４４Ｂ（一般に無線ネットワークアダプタ１４４）を含む。無線通信装置１０４Ａは、CC SETUP（ＣＣ設定）（Ｂ）メッセージ１００１を無線ネットワークアダプタ１４４Ａに送り、呼を発生させる。無線ネットワークアダプタ１４４Ａは、INVITE（Ｂ）メッセージ１００２を機能サーバ３２６に送る。３ＧＰＰは、例えば、転送先無線通信装置１０４Ｂが自動転送の通知を受けることを要求する。機能サーバ３２６は、INVITE（Ｃ）にディバージョンヘッダ（diversion header）メッセージ１００３を提供する。無線ネットワークコントローラ１４４は、例えば、INVITE（Ｃ）ｗ／ディバージョンヘッダメッセージ１００３をNotifySSへとマップし、かつSETUP（NotifySS）メッセージ１００４における該NotifySSを無線通信装置１４４Ｂに送ることができる。３ＧＧＰ は、例えば、無線通信装置１０４Ａが自動転送をアクティブにして呼を発生させようとする場合、自動転送がアクティブである表示が無線通信装置１０４Ａに与えられることを要求する。無線ネットワークアダプタ１４４は該表示を提供する。
【００７３】
無線ネットワークアダプタ１４４Ａは、CALL PROCeedingメッセージ１００５を無線通信装置１０４Ａに送る。CALL PROCメッセージ１００５は、無線ネットワークアダプタ１４４Ａに対する、無線通信装置１００１によって送られたCC SETUP（Ｂ）メッセージ１００１の確認である。３ＧＰＰは、呼出し無線通信装置１０４Ａが自動送信の通知を受けることを要求する。機能サーバ３２６は、例えば、「１８１−呼が転送中である」メッセージ１００６を無線ネットワークアダプタ１４４Ａに提供するであろう。無線ネットワークアダプタ１４４Ａは、「１８１−呼が転送中である」メッセージのFACILITY（NotifySupplementaryService）メッセージ１００７に対するマッピングを提供し、また、該ACILITY（NotifySS）メッセージ１００７を無線通信装置１０４Ａに送信する。
【００７４】
図１１は、通話中着信（キャッチホン）サービスのための図３の構成要素のいくつかの相互作用を示すブロック図１１５０を例示する。これは３ＧＰＰを用いて実行され得、該３ＧＰＰは、例えば、呼出し無線通信装置１０４Ｃに、該呼が待たされているという警報を出すオプションを有する。通話中着信サービスが開始されるために、無線通信装置１０４Ａと無線通信装置１０４Ｂとの間にアクティブ呼（アクティブコール）１１００が存在する。無線通信装置１０４Ｃは、機能サーバ３２６を通じてNVITEメッセージ１１０１を無線ネットワークアダプタ１４４に送る。無線通信装置１４４は、INVITEメッセージ１１０１を、SETUP（ｃ／ｗ情報）メッセージ１００２においてカプセル化された、例えば信号情報要素を有する該SETUPに対しマップする。
【００７５】
図１２は、呼保留のための図３の構成要素の相互作用を示すブロック図１１６０を例示し、無線通信装置１０４Ａと無線通信装置１０４Ｂとの間にアクティブ呼１２００がある。３ＧＰＰは、例えば、呼保留補助サービスのためのHOLDを定義する。相手には、FACILITYメッセージにより該呼保留が通知される。FACILITYメッセージは、例えば、補助サービスのための透過データを含む。ＳＩＰは、Re-INVITE及びナルSDPを用いて呼保留を実行する。図１２において、無線通信装置１０４Ａは、HOLDメッセージ１２０１を無線ネットワークアダプタ１４４Ａに送り、無線ネットワークアダプタ１４４Ａは、無線通信装置１０４Ａに対しHOLD ACKnowledgment（保留承認）メッセージ１２０２により応答する。無線ネットワークアダプタ１４４Ａは、reINVITE（ＳＤＰを伴わない）メッセージ１２０３を機能サーバ３２６に送信し、機能サーバ３２６は、INVITE（ＳＤＰを伴わない）メッセージ１２０３を無線ネットワークアダプタ１４４Ｂに透過的に送る。無線ネットワークアダプタ１４４Ｂは、HOLDメッセージ１２０４を無線通信装置１０４Ｂに送り、該呼保留を信号で伝える。HOLDメッセージ１２０４を受信すると、無線通信装置１０４Ｂは、HOLD ACKnowledgment（保留承認）メッセージ１２０５により無線ネットワークアダプタ１４４Ｂに応答する。無線ネットワークアダプタ１４４Ａ及び無線ネットワークアダプタ１４４Ｂは、Re-INVITEをHOLD及びRETRIEVEへとマップする。
【００７６】
再度図３を参照して、呼転送のため、機能サーバ３２６は呼転送をサポートする。機能サーバは、例えば、SIP REFER法を用いて呼転送をサポートする。呼を転送するため、無線ネットワークアダプタ１４４は、無線通信装置１０４からのＥＣＴ要求を有するACILITYメッセージをSIP REFER法に対しマップする。該転送の開示時点において、無線通信装置１０４と第２無線通信装置１０４Ａ間及び無線通信装置１０４と第３無線通信装置１０４Ｂ間の両呼は応答されるべきであった。該転送後、メディアは、第２無線通信装置１０４Ａと第３無線通信装置１０４Ｂとの間を直接流れる。
【００７７】
機能サーバ３２６はマルチパーティ呼をサポートする。無線ネットワークアダプタ１４４は、FACILITY（Multi Party Service（MPTY）invocation（マルチパーティサービス呼出し））をSIP INFOメッセージへとマップする。MPTYは、例えば、サービスが提供される加入者が複数の参加者による会議電話を確立することを許容する。音声メールでは、該サービスは、マクロ無線ネットワーク２００の音声メールサーバによって本質的に提供される。例えば、着呼は、自動転送サービスを用いることにより音声メールサーバに転送され、ユーザは、音声メールサーバに電話して彼又は彼女の音声メールをチャックすることができる。機能サーバ３２６は、メッセージ待機表示を音声メールサーバのための適切なＳＩＰエンドポイントに供給し、ＳＩＰエンドポイントは、例えばSIP SUBSCRIBEを用いて機能サーバ３２６サービスを加入（利用）する。無線ネットワークアダプタ１４４は、音声メールサービスを有するすべての無線通信装置１０４加入者に対し、機能サーバ３２６に向かうSIP SUBSCRIBE法をサポートする必要があるであろう。SIP NOTIFYを受信するや否や、例えば、無線ネットワークアダプタ１４４は、無線通信装置１０４加入者の通知を開始する必要があるであろう。
【００７８】
無線通信装置１０４からの緊急呼出しサービでは、機能サーバ３２６及びゲートウェイスイッチ３２２は緊急呼を処理するであろう。機能サーバ３２６は、ゲゲートウェイスイッチ３２２に向かうINVITEにおいてP-Asserted-Identity（Ｐ支援アイデンティティ）ヘッダにCalling Party Category（発呼者カテゴリー）プロトコルを含み、ゲートウェイスイッチ３２２は、例えばＥ−９１１等の適切な緊急サービスに接続する。無線通信装置１０４が切断すると、機能サーバ３２６は該切断に応答するが、ネットワークコール（呼）ログは分解しない。
【００７９】
ライン識別サービスでは、機能サーバ３２６は、例えば、Call Line Identification Procedure（呼ライン識別手順）（ＣＬＩＰ）及びCall Line Identification Restricted（呼ライン識別制限）（ＣＬＩＲ）をサポートする。無線ネットワークアダプタ１４４は、例えば２４．０００８パラメータに対するＳＩＰパラメータのマッピングをサポートするであろう。呼完了のための話中加入者では、機能サーバ３２６は、Ring Back When Free（フリー時リングバック（回線解放時自動コールバック／通話終了時自動コールバック））（ＲＢＷＦ）をサポートする。通話制限は、ＳＣＰ３３６によってサポートされるであろう。ＳＣＰ３３６は、呼ブロッキング（着信規制）、呼スクリーニング、及び／又はその他を実行するであろう。プリペイド呼出しでは、モバイルネットワーク拡張ロジック（ＣＡＭＥＬ）のカスタマイズされたアプリケーション、ＳＩＰプリペイドサービス、及び／又はその他のものを用いて、プリペイド加入者がサポートされ得る。ＣＡＭＥＬベースのプリペイド呼出しは、CAMEL Subscription Service（ＣＡＭＥＬ加入サービス）（ＣＳＩ）仕様の基準に基づくService Control Point（サービス制御ポイント）（ＳＣＰ）とのＣＡＭＥＬアプリケーション部（ＣＡＰ）相互作用を含む。ＣＳＩは、マクロ無線ネットワーク２０５のロケーションレジスタ３４２によって提供される。サービングスイッチ３４０は、無線通信装置１０４の登録の時点でＭＡＰ通信におけるＣＳＩを取得する。ゲートウェイスイッチ３２２及びＳＣＰ３３６は、ＣＳＩ、ＭＴ呼に対するプリペイドサービス、及び／又はその他に基づくＣＡＭＥＬ処理をサポートする。ＳＩＰプリペイドサービスは、例えば、コアネットワーク２４０によって実行されるであろう。無線ネットワークアダプタ１４４及びロケーションレジスタ３３０は、
ＣＡＰ／ＭＡＰ手順をＳＩＰ手順にマップする。
【００８０】
上述したシステム及び方法は、ディジタル電子回路、コンピュータハードウェア、ファームウェア、及び／又はソフトウェアにおいて実装（実現）され得る。該実装はコンピュータプログラム製品（すなわち、情報媒体に有体的に具現化されたコンピュータプログラム）としてのものであり得る。該実装は、機械読取り可能な記憶装置において、及び／又は、データ処理装置による実行のための、又はデータ処理装置の動作を制御する、伝播信号においてのもであり得る。該実装は、例えば、プログラム可能なプロセッサ、コンピュータ、及び／又はマルチプルコンピュータであり得る。
【００８１】
コンピュータプログラムは、コンパイル型及び／又はインタープリタ型言語を含むどのような形式のプログラミング言語で書かれてもよい。コンピュータプログラムは、スタンドアロンプログラム、又は、サブルーチン、エレメント、及び／又は、コンピューティング環境での使用に適した他のユニットを含むどのような形式で導入されてもよい。コンピュータプログラムは、一つのコンピュータ又は一つのサイトのマルチプルコンピュータで実行されるために導入され得る。
【００８２】
方法ステップは、入力データで動作し出力を発生せることにより本発明の機能を遂行するコンピュータプログラムを実行する一つ又は複数のプログラム可能なプロセッサによって実行され得る。方法ステップはまた専用論理回路によって実行され得、また、装置は専用論理回路として実現され得る。該回路は、例えば、ＦＰＧＡ（フィールドプログラマブルゲートアレイ）及び／又はＡＳＩＣ（特定用途向け集積回路）であり得る。モジュール、サブルーチン、及びソフトウェアエージェントは、コンピュータプログラム、プロセッサ、専用回路、ソフトウェアの各部分、及び／又は、上記機能を実行するハードウェアの部分を意味することができる。
【００８３】
コンピュータプログラムの実行に適したプロセッサは、一例として、汎用及び専用マイクロプロセッサの両方、及び、任意の種類のディジタルコンピュータの一つ又は複数の任意のプロセッサを含み得る。一般に、プロセッサは、読出し専用メモリ又はランダムアクセスメモリ又はその両方から命令及びデータを受け取る。コンピュータの本質的要素は、命令を実行するためのプロセッサと、命令及びデータを記憶するための一つ又は複数の記憶素子である。一般に、コンピュータは、データを格納するための一つ又は複数の大容量記憶装置（例えば、磁気ディクス、光磁気ディスク、又は光ディスク）を含むことができ、また、大容量記憶装置からデータを受け取り及び／又はそれにデータを送るために連動的に結合され得る。
【００８４】
データ伝送及び命令はまた、通信ネットワークにより行うことができる。コンピュータプログラムの命令及びデータを具現化するために適した情報媒体は、不揮発性メモリの全形態を含み、一例として半導体メモリ素子を含む。情報媒体は、例えば、ＥＰＲＯＭ、ＥＥＰＲＯＭ、フラッシュメモリ素子、磁気ディスク、内部ハードディスク、リムーバブルディスク、光磁気ディスク、ＣＤ−ＲＯＭディスク、及び／又は、ＤＶＤ−ＲＯＭディスクであり得る。プロセッサ及びメモリは、専用論理回路によって追加され、及び／又は専用論理回路に組み込まれ得る。
【００８５】
ユーザとの情報のやり取りを提供するため、上述した技術は、ディスプレイ装置を有するコンピュータにおいて実現され得る。ディスプレイ装置は、例えば、陰極線管（ＣＲＴ）及び／又は液晶表示（ＬＣＤ）モニタであり得る。ユーザとの情報のやり取りは、例えば、ユーザに対する情報の表示、及び、ユーザがコンピュータに入力を供給（例えば、ユーザインターフェース要素との情報のやり取り）することができるキーボード及びポインティング装置（例えば、マウス又はトラックボール）であり得る。他の種類の装置もユーザとのやり取りを提供するために使用可能である。他の装置は、感覚フィードバック（例えば、視覚フィードバック、聴覚フィードバック、又は触覚フィードバック）の任意の形態でユーザに提供されるフィードバックであり得る。ユーザからの入力は、音響、音声及び／又は触覚入力を含む任意の形態で受け入れられ得る。
【００８６】
上述した技術は、後置構成要素を含む分散コンピューティングシステムにおいて実現され得る。後置構成要素は、例えば、データサーバ、ミドルウェア構成要素、及び／又はアプリケーションサーバであり得る。上記技術は、前置構成要素を含む分散コンピューティングシステムにおいて実現され得る。前置構成要素は、例えば、グラフィカルユーザインターフェースを有するクライアントコンピュータ、ユーザが実現例と情報をやり取り可能なウェブブラウザ、及び／又は、送信装置のための他のグラフィカルユーザインターフェースであり得る。該システムの構成要素は、ディジタルデータ通信（例えば、通信ネットワーク）の任意の形態又は媒体によって相互接続され得る。通信ネットワークの例は、ローカルエリアネットワーク（ＬＡＮ）、ワイドエリアネットワーク（ＷＡＮ）、インターネット、有線ネットワーク、及び／又は無線ネットワークを含む。該システムは、クライアント及びサーバを含むことができる。クライアント及びサーバは、一般に互いに遠く隔てられ、典型的に通信ネットワークを通じて情報をやり取りする。クライアント及びサーバの関係は、それぞれのコンピュータ上で実行しかつ互いにクライアント−サーバ関係を有するコンピュータプログラムによって生じる。
【００８７】
パケットベースのネットワークは、例えば、インターネット、キャリアインターネットプロトコル（ＩＰ）ネットワーク（例えば、ローカルエリアネットワーク（ＬＡＮ）、ワイドエリアネットワーク（ＷＡＮ）、キャンパスエリアネットワーク（ＣＡＮ）、メトロポリタンエリアネットワーク（ＭＡＮ）、ホームエリアネットワーク（ＨＡＮ））、プライベートＩＰネットワーク、ＩＰ構内交換（ＩＰＢＸ）、無線ネットワーク（例えば、無線アクセスネットワーク（ＲＡＮ）、８０２．１１ネットワーク、８０２．１６ネットワーク、汎用パケット無線サービス（ＧＰＲＳ）ネットワーク、ＨｉｐｅｒＬＡＮ）、及び／又は、他のパケットベースのネットワークを含むことができる。回線ベースのネットワークは、例えば、公衆交換電話網（ＰＳＴＮ）、構内交換（ＰＢＸ）、無線ネットワーク（例えば、ＲＡＮ、ブルートゥース、符号分割多重アクセス（ＣＤＭＡ）ネットワーク、時分割多重アクセス（ＴＤＭＡ）ネットワーク、グローバルシステムフォーモバイルコミュニケーションズ（ＧＳＭ）ネットワーク）、及び／又は、他の回線ベースのネットワークを含むことができる。
【００８８】
通信装置は、例えば、コンピュータ、ブラウザ装置を有するコンピュータ、電話、ＩＰ電話、モバイル装置（例えば、携帯電話、パーソナルディジタルアシスタント（ＰＤＡ）装置、ラップトップコンピュータ、電子メール装置）、及び／又は、他の通信装置を含むことができる。ブラウザ装置は、例えば、ワールドワイドウェブブラウザ（例えば、マイクロソフト社から市販されるマイクロソフト（登録商標）インターネットエクスプローラ（登録商標）、モジラ社から市販されるMozilla（モジラ）（登録商標）Firefox（ファイアフォックス））を有するコンピュータ（例えば、デスクトップコンピュータ、ラップトップコンピュータ）を含む。モバイルコンピューティング装置は、例えば、Blackberry（ブラックベリー）（登録商標）を含む。ＩＰ電話は、例えば、シスコシステム社から市販されるCisco（シスコ）（登録商標）Unified IP Phone（統一ＩＰ電話）７９８５Ｇ及び／又はCisco（登録商標）Unified 無線s Phone（統一無線電話）７９２０を含む。
【００８９】
備える（comprise）、含む（include）、及び／又はそれぞれの複数形は、開放型であり、記載された部分を含みかつ記載されない追加の部分を含む。及び／又はは、開放型であり、記載された部分の一つ又は複数を含みかつ記載された部部の組合せを含む。
【００９０】
当業者は、本発明の精神又は本質的特徴から逸脱することなく、本発明が他の特定の形態で具現化され得ることを理解するであろう。上述した実施形態は、そのため、ここに記載した本発明を制限するのではなく、あらゆる点で例示的なものであると考えられるべきである。本発明の範囲は、上記説明よりはむしろ特許請求の範囲によって示され、従って、特許請求の範囲の意味及び均等の範囲内に入るすべての変更は、特許請求の範囲に包含されることが企図される。
【符号の説明】
【００９１】
１００  通信ネットワーク
１０２  ローカル無線通信ネットワーク
１０４  無線通信装置
１０６  データ
１０８  無線アクセスポイント
１１０  シグナリング部分
１２０  メディア部分
１３０  ネットワーク
１４０  アクセスノード
１４４  無線ネットワークアダプタ
１４８  メディアゲートウェイ
１５０  第１データセット
１６０  第２データセット
【図１】
2010507345.tif 000003
【図２】
2010507345.tif 000004
【図３】
2010507345.tif 000005
【図４Ａ】
2010507345.tif 000006
【図４Ｂ】
2010507345.tif 000007
【図５】
2010507345.tif 000008
【図６Ａ】
2010507345.tif 000009
【図６Ｂ】
2010507345.tif 000010
【図７】
2010507345.tif 000011
【図８Ａ】
2010507345.tif 000012
【図８Ｂ】
2010507345.tif 000013
【図８Ｃ】
2010507345.tif 000014
【図９Ａ】
2010507345.tif 000015
【図９Ｂ】
2010507345.tif 000016
【図９Ｃ】
2010507345.tif 000017
【図１０】
2010507345.tif 000018
【図１１】
2010507345.tif 000019
【図１２】
2010507345.tif 000020
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
統一有線／無線通信ネットワークを作り出す方法であって、
シグナリング部分及びメディア部分を含むデータを受信するステップと、
前記シグナリング部分を第１データセット及び第２データセットへと分離するステップとを含み、
前記第１データセットはモビリティ管理機能を含み、前記第２データセットは、特性、アプリケーション関連機能、又はこれらの任意の組合せを含む方法。
【請求項２】
ネットワークにより前記データを受信するステップを更に含み、該ネットワークはＩＰネットワークを含む請求項１の方法。
【請求項３】
前記ネットワークと基地局が通信し、前記基地局は、ピコセル又はフェムトセル基地局を含む請求項２の方法。
【請求項４】
無線電気通信規格に関連するプロトコルを用いて、前記第１データセットをモバイル無線ネットワークに送信するステップを更に含み、前記モバイル無線ネットワークはＧＳＭネットワークである請求項１の方法。
【請求項５】
パケット通信技術に関連するプロトコルを用いて、前記第２データセットをコアネットワークに送信するステップを更に含む請求項１の方法。
【請求項６】
前記コアネットワークは、外部ネットワークに向けてセルラーコアネットワーク構成要素をエミュレートする請求項５の方法。
【請求項７】
前記コアネットワークは、モバイル通信ネットワークによって提供されるサービスをサポートし、前記サービスは、自動転送、通話中着信、呼保留、呼待機、同時呼出し、呼転送、マルチパーティ呼出し、音声メール通知、緊急呼出し、呼完了話中、通話制限、又は、これらの任意の組合せを含む請求項６の方法。
【請求項８】
前記メディア部分をパケット通信技術を用いて送信するステップを更に含み、前記メディア部分は、前記データの音声部分、前記データの帯域内トーン、前記電話通信ネットワークを越えてメディアゲートウェイに伝えられる他の機能、又は、これらの任意の組合せを含む請求項１の方法。
【請求項９】
情報媒体に有体的に具現化されるコンピュータプログラム製品であって、
データ処理装置が、
シグナリング部分及びメディア部分を含むデータを受信し、
前記シグナリング部分を第１データセット及び第２データセットへと分離し、
前記第１データセットがモビリティ管理機能を含み、前記第２データセットが、特性、アプリケーション関連機能、又はこれらの任意の組合せを含むものを行うように動作可能な命令を含むコンピュータプログラム製品。
【請求項１０】
統一有線／無線通信ネットワークを作り出すためのシステムであって、
シグナリング部分及びメディア部分を含むデータを受信するように構成されたアクセスノードと、
前記シグナリング部分を第１データセット及び第２データセットへと分離するように構成された無線ネットワークアダプタとを備え、
前記第１データセットはモビリティ管理機能を含み、前記第２データセットは、特性、アプリケーション関連機能、又はこれらの任意の組合せを含むシステム。
【請求項１１】
前記無線ネットワークアダプタから第１データセットを受信するように構成されたモバイル無線ネットワークの少なくとも一部を更に備え、該モバイル無線ネットワークの少なくとも一部は、無線電気通信規格に関連するプロトコルを用いて前記無線ネットワークアダプタと通信する請求項１０のシステム。
【請求項１２】
前記無線ネットワークアダプタから第２データセットを受信するように構成されたコアネットワークの少なくとも一部を更に備え、該コアネットワークの少なくとも一部は、パケット通信技術に関連するプロトコルを用いて前記無線ネットワークアダプタと通信する請求項１０のシステム。
【請求項１３】
前記無線ネットワークアダプタは更に、前記第１データセットをモバイル無線ネットワークに送信すると共に、前記第２データセットをコアネットワークに送信するように構成される請求項１０のシステム。
【請求項１４】
前記データの前記メディア部分を受信し、第３データセットを生成し、かつ、該第３データセットを、パケット通信技術に関連するプロトコルを用いてメディアゲートウェイと通信する電話通信ネットワークに送信するように構成されたメディアゲートウェイを更に備え、前記第３データセットは、前記データの音声部分、前記データの帯域内トーン、前記電話通信ネットワークを越えてメディアゲートウェイに伝えられる他の機能、又は、これらの任意の組合せを含む請求項１０のシステム。
【請求項１５】
前記無線ネットワークアダプタは更に、ＭＳＣ及びＶＬＲをエミュレートするため、コアネットワークの少なくと一部と協働するように構成される請求項１０のシステム。
【請求項１６】
統一有線／無線通信ネットワークを作り出すためのシステムであって、
シグナリング部分及びメディア部分を含むデータを受信するための手段と、
前記シグナリング部分を第１データセット及び第２データセットへと分離するための手段とを備え、
前記第１データセットはモビリティ管理機能を含み、前記第２データセットは、特性、アプリケーション関連機能、又はこれらの任意の組合せを含むシステム。
【請求項１７】
統一有線／無線通信ネットワークを作り出すためのシステムであって、
シグナリング部分及びメディア部分を含むデータを受信するように構成されたアクセスノードと、
前記シグナリング部分を第１データセット及び第２データセットへと分離するように構成された無線ネットワークアダプタとを備え、
前記第１データセットはモビリティ管理機能を含み、前記第２データセットは、特性、アプリケーション関連機能、又はこれらの任意の組合せを含み、
前記無線ネットワークアダプタは、モバイル無線ネットワーク通信機能を使用するシステム。
【国際調査報告】
2010507345.tif 000021
2010507345.tif 000022
2010507345.tif 000023